(57)【要約】【課題】  最小基準電流信号の倍数で決定される複数の倍電流基準電流信号を精度よく発生し、入力した画像データに対して常に所望の画像表示を可能とする。【解決手段】  最小基準電流信号Ｉｓを発生する最小基準電流信号発生回路３０９と、ｎ種類の基準電流信号を出力するように接続され、最小基準電流信号Ｉｓを複製する複数の電流吐出し型電流複製回路４０１〜４６３とを備え、同時に２つ以上の電流吐出し型電流複製回路から最小基準電流信号Ｉｓが流れないように、上記電流吐出し型電流複製回路から上記最小基準電流信号を上記最小基準電流信号発生回路３０９へそれぞれ流して複製し、上記電流吐出し型電流複製回路から複製された最小基準電流信号Ｉｓを出力して、上記ｎ種類の基準電流信号を得る。【選択図】  図１
2005164702.tif 000002
【特許請求の範囲】
【請求項１】
ｎ（ｎ：２以上の自然数）ビットのデジタル画像信号を基準電流発生回路から出力されるｎ種類の基準電流信号に基づいて電流信号に変換するデジタル信号−電流信号変換回路を備え、信号電極駆動回路を介して、変換された上記電流信号に基づいて電気光学素子をそれぞれ階調表示するアクティブ駆動型表示装置において、
最小基準電流信号を発生する最小基準電流信号発生回路と、
上記最小基準電流信号を複製し、上記ｎ種類の基準電流信号を出力するように接続された複数の電流吐出し型電流複製回路とを備え、
同時に２つ以上の電流吐出し型電流複製回路から最小基準電流信号が流れないように、上記電流吐出し型電流複製回路から上記最小基準電流信号を上記最小基準電流信号発生回路へそれぞれ流して複製し、上記電流吐出し型電流複製回路から複製された最小基準電流信号を出力して、上記ｎ種類の基準電流信号を得ることを特徴とするアクティブ駆動型表示装置。
【請求項２】
前記電流吐出し型電流複製回路は、
前記最小基準電流信号をサンプル・ホールドするサンプル・ホールド部と、
サンプル・ホールドした上記最小基準電流信号を吐出す出力部とを備えたことを特徴とする請求項１に記載のアクティブ駆動型表示装置。
【請求項３】
前記サンプル・ホールド部は、それぞれＰ又はＮチャンネルの第１〜第３ＴＦＴからなり、
上記第１、第２、及び第３ＴＦＴは前記最小基準電流信号をサンプルし、第３ＴＦＴはサンプルした上記最小基準電流信号をキャパシタを介してホールドし、
前記出力部は、Ｐ又はＮチャンネルの第３及び第４ＴＦＴからなり、サンプル・ホールドした上記最小基準電流信号を吐出すことを特徴とする請求項２に記載のアクティブ駆動型表示装置。
【請求項４】
ｎ（ｎ：２以上の自然数）ビットのデジタル画像信号を基準電流発生回路から出力されるｎ種類の基準電流信号に基づいて電流信号に変換するデジタル信号−電流信号変換回路を備え、信号電極駆動回路を介して、変換された上記電流信号に基づいて電気光学素子をそれぞれ階調表示するアクティブ駆動型表示装置において、
最小基準電流信号を発生する最小基準電流信号発生回路と、
上記最小基準電流信号を複製し、上記ｎ種類の基準電流信号を吸込むように接続された複数の電流吸込み型電流複製回路とを備え、
同時に２つ以上の電流吸込み型電流複製回路が最小基準電流信号を吸込まないように、上記最小基準電流信号発生回路から上記最小基準電流信号を上記電流吸込み型電流複製回路へそれぞれ流して複製し、上記電流吸込み型電流複製回路へ複製された最小基準電流信号が吸込まれて、上記ｎ種類の基準電流信号を得ることを特徴とするアクティブ駆動型表示装置。
【請求項５】
前記電流吸込み型電流複製回路は、
前記最小基準電流信号をサンプル・ホールドするサンプル・ホールド部と、
サンプル・ホールドした上記最小基準電流信号を吸込む出力部とを備えたことを特徴とする請求項４に記載のアクティブ駆動型表示装置。
【請求項６】
前記サンプル・ホールド部は、それぞれＰ又はＮチャンネルの第１〜第３ＴＦＴからなり、
上記第１、第２、及び第３ＴＦＴは前記最小基準電流信号をサンプルし、第３ＴＦＴはサンプルした上記最小基準電流信号をキャパシタを介してホールドし、
前記出力部は、Ｐ又はＮチャンネルの第３及び第４ＴＦＴからなり、サンプル・ホールドした上記最小基準電流信号を吸込むことを特徴とする請求項５に記載のアクティブ駆動型表示装置。
【請求項７】
ｎ（ｎ：２以上の自然数）ビットのデジタル画像信号を基準電流発生回路から出力されるｎ種類の基準電流信号に基づいて電流信号に変換するデジタル信号−電流信号変換回路を備え、信号電極駆動回路を介して、変換された上記電流信号に基づいて電気光学素子をそれぞれ階調表示するアクティブ駆動型表示装置において、
最小基準電流信号を発生する最小基準電流信号発生回路と、
上記ｎ種類の基準電流信号を出力するようにそれぞれ接続され、上記最小基準電流信号を複製する電流吐出し型電流複製回路からなる２個の第１電流複製回路と、直列に接続された一対の電流吸込み型電流複製回路および電流吐出し型電流複製回路からなる複数の第２電流複製回路とを備え、
上記第１電流複製回路の出力端子と上記第２電流複製回路の入力端子とは互いに接続されると共に、上記ｎ種類の基準電流信号の出力用以外の第２電流複製回路は出力端子と入力端子がそれぞれ接続され、
同時に２つの第１電流複製回路から最小基準電流信号が流れないように、上記第１電流複製回路から上記最小基準電流信号を上記最小基準電流信号発生回路へそれぞれ流すと共に、上記出力用の第２電流複製回路から上記ｎ種類の基準電流信号をそれぞれ出力することを特徴とするアクティブ駆動型表示装置。
【請求項８】
ｎ（ｎ：２以上の自然数）ビットのデジタル画像信号を基準電流発生回路から出力されるｎ種類の基準電流信号に基づいて電流信号に変換するデジタル信号−電流信号変換回路を備え、信号電極駆動回路を介して、変換された上記電流信号に基づいて電気光学素子をそれぞれ階調表示するアクティブ駆動型表示装置において、
最小基準電流信号を発生する最小基準電流信号発生回路と、
上記ｎ種類の基準電流信号を出力するようにそれぞれ接続され、上記最小基準電流信号を複製する電流吸込み型電流複製回路からなる２個の第１電流複製回路と、直列に接続された一対の電流吐出し型電流複製回路および電流吸込み型電流複製回路からなる複数の第２電流複製回路とを備え、
上記第１電流複製回路の出力端子と上記第２電流複製回路の入力端子とは互いに接続されると共に、上記ｎ種類の基準電流信号の出力用以外の第２電流複製回路は出力端子と入力端子がそれぞれ接続され、
同時に２つの第１電流複製回路へ最小基準電流信号が流れないように、上記最小基準電流信号発生回路から上記最小基準電流信号を上記第１電流複製回路へそれぞれ流すと共に、上記出力用の第２電流複製回路が上記ｎ種類の基準電流信号をそれぞれ吸込むことを特徴とするアクティブ駆動型表示装置。
【請求項９】
前記第１電流複製回路の前記電流吐出し型電流複製回路は、
前記最小基準電流信号をサンプル・ホールドする第１サンプル・ホールド部と、
サンプル・ホールドした上記最小基準電流信号を前記出力端子へ吐出す第１出力部とをそれぞれ備え、
前記第２電流複製回路の前記電流吸込み型電流複製回路は、
入力端子に流れる電流信号をサンプル・ホールドする第２サンプル・ホールド部を備え、
前記第２電流複製回路の前記電流吐出し型電流複製回路は、
上記第２サンプル・ホールド部でホールドされた電流信号をサンプル・ホールドする第３サンプル・ホールド部と、
サンプル・ホールドした上記電流信号を前記出力端子へ吐出す第３出力部とを備えたことを特徴とする請求項７に記載のアクティブ駆動型表示装置。
【請求項１０】
前記第１電流複製回路の前記電流吸込み型電流複製回路は、
前記最小基準電流信号をサンプル・ホールドする第１サンプル・ホールド部と、
サンプル・ホールドした上記最小基準電流信号を前記出力端子へ吸込む第１出力部とをそれぞれ備え、
前記第２電流複製回路の前記電流吐出し型電流複製回路は、
入力端子に流れる電流信号をサンプル・ホールドする第２サンプル・ホールド部を備え、
前記第２電流複製回路の前記電流吸込み型電流複製回路は、
上記の第２サンプル・ホールド部でホールドされた電流信号をサンプル・ホールドする第３サンプル・ホールド部と、
サンプル・ホールドした上記電流信号を前記出力端子から吸込む第３出力部とを備えたことを特徴とする請求項８に記載のアクティブ駆動型表示装置。
【請求項１１】
前記第１サンプル・ホールド部は、それぞれＰ又はＮチャンネルの第１〜第３ＴＦＴからなり、
上記第１、第２、及び第３ＴＦＴは前記最小基準電流信号をサンプルし、第３ＴＦＴはサンプルした上記最小基準電流信号を第１キャパシタを介してホールドし、
前記第１出力部は、Ｐ又はＮチャンネルの第３及び第４ＴＦＴからなり、サンプル・ホールドした上記最小基準電流信号を吐出し、
前記第２サンプル・ホールド部は、それぞれＰ又はＮチャンネルの第５〜第７ＴＦＴからなり、
上記第５、第６、及び第７ＴＦＴは前記入力端子に流れる電流信号をサンプルし、第７ＴＦＴはサンプルした上記電流信号を第２キャパシタを介してホールドし、
前記第３サンプル・ホールド部は、それぞれＰ又はＮチャンネルの第８〜第１０ＴＦＴからなり、
上記第８、第９、及び第１０ＴＦＴは上記第２キャパシタを介してホールドした電流信号をサンプルし、第１０ＴＦＴはサンプルした上記電流信号を第３キャパシタを介してホールドし、
前記第３出力部は、Ｐ又はＮチャンネルの第１０及び第１１ＴＦＴからなり、サンプル・ホールドした上記電流信号を前記出力端子へ吐出すことを特徴とする請求項９に記載のアクティブ駆動型表示装置。
【請求項１２】
前記第１サンプル・ホールド部は、それぞれＰ又はＮチャンネルの第１〜第３ＴＦＴからなり、
上記第１、第２、及び第３ＴＦＴは前記最小基準電流信号をサンプルし、第３ＴＦＴはサンプルした上記最小基準電流信号を第１キャパシタを介してホールドし、
前記第１出力部は、Ｐ又はＮチャンネルの第３及び第４ＴＦＴからなり、サンプル・ホールドした上記最小基準電流信号を吸込み、
前記第２サンプル・ホールド部は、それぞれＰ又はＮチャンネルの第５〜第７ＴＦＴからなり、
上記第５、第６、及び第７ＴＦＴは前記入力端子に流れる電流信号をサンプルし、第７ＴＦＴはサンプルした上記電流信号を第２キャパシタを介してホールドし、
前記第３サンプル・ホールド部は、それぞれＰ又はＮチャンネルの第８〜第１０ＴＦＴからなり、
上記第８、第９、及び第１０ＴＦＴは上記第２キャパシタを介してホールドした電流信号をサンプルし、第１０ＴＦＴはサンプルした上記電流信号を第３キャパシタを介してホールドし、
前記第３出力部は、Ｐ又はＮチャンネルの第１０及び第１１ＴＦＴからなり、サンプル・ホールドした上記電流信号を前記出力端子から吸込むことを特徴とする請求項１０に記載のアクティブ駆動型表示装置。
【請求項１３】
ｎ（ｎ：２以上の自然数）ビットのデジタル画像信号を基準電流発生回路から出力されるｎ種類の基準電流信号に基づいて電流信号に変換するデジタル信号−電流信号変換回路を備え、信号電極駆動回路を介して、変換された上記電流信号に基づいて電気光学素子をそれぞれ階調表示するアクティブ駆動型表示装置において、
最小基準電流信号を発生する最小基準電流信号発生回路と、
上記ｎ種類の基準電流信号を出力するようにそれぞれ接続され、上記最小基準電流信号を複製する電流吐出し型電流複製回路からなる２個の第１電流複製回路と、直列に接続された一対の電流吸込み型電流複製回路および電流吐出し型電流複製回路からなる複数の第２電流複製回路とを備え、
上記第１電流複製回路の出力端子と上記第２電流複製回路の入力端子とは互いに接続されると共に、上記第２電流複製回路は出力端子と入力端子がそれぞれ接続され、
同時に２つの第１電流複製回路から最小基準電流信号が流れないように、上記第１電流複製回路から上記最小基準電流信号を上記最小基準電流信号発生回路へそれぞれ流すと共に、上記第１及び第２電流複製回路から上記ｎ種類の基準電流信号をそれぞれ出力することを特徴とするアクティブ駆動型表示装置。
【請求項１４】
ｎ（ｎ：２以上の自然数）ビットのデジタル画像信号を基準電流発生回路から出力されるｎ種類の基準電流信号に基づいて電流信号に変換するデジタル信号−電流信号変換回路を備え、信号電極駆動回路を介して、変換された上記電流信号に基づいて電気光学素子をそれぞれ階調表示するアクティブ駆動型表示装置において、
最小基準電流信号を発生する最小基準電流信号発生回路と、
上記ｎ種類の基準電流信号を出力するようにそれぞれ接続され、上記最小基準電流信号を複製する電流吸込み型電流複製回路からなる２個の第１電流複製回路と、直列に接続された一対の電流吐出し型電流複製回路および電流吸込み型電流複製回路からなる複数の第２電流複製回路とを備え、
上記第１電流複製回路の出力端子と上記第２電流複製回路の入力端子とは互いに接続されると共に、上記第２電流複製回路は出力端子と入力端子がそれぞれ接続され、
同時に２つの第１電流複製回路へ最小基準電流信号が流れないように、上記最小基準電流信号発生回路から上記最小基準電流信号を上記第１電流複製回路へそれぞれ流すと共に、上記第１及び第２電流複製回路が上記ｎ種類の基準電流信号をそれぞれ吸込むことを特徴とするアクティブ駆動型表示装置。
【請求項１５】
前記第１電流複製回路の前記電流吸込み型電流複製回路は、
前記最小基準電流信号をサンプル・ホールドする第１サンプル・ホールド部と、
サンプル・ホールドした上記最小基準電流信号を前記出力端子へ吸込む第１出力部とをそれぞれ備え、
前記第２電流複製回路の前記電流吐出し型電流複製回路は、
入力端子に流れる電流信号をサンプル・ホールドする第２サンプル・ホールド部を備え、
前記第２電流複製回路の前記電流吸込み型電流複製回路は、
上記電流吐出し型電流複製回路の出力部に流れる電流信号をサンプル・ホールドする第３サンプル・ホールド部と、
サンプル・ホールドした上記電流信号を前記出力端子から吸込む第３出力部とを備えたことを特徴とする請求項１４に記載のアクティブ駆動型表示装置。
【請求項１６】
前記第１電流複製回路の前記電流吐出し型電流複製回路は、
前記最小基準電流信号をサンプル・ホールドする第１サンプル・ホールド部と、
サンプル・ホールドした上記最小基準電流信号を前記出力端子へ吐出す第１出力部とをそれぞれ備え、
前記第２電流複製回路の前記電流吸込み型電流複製回路は、
入力端子に流れる電流信号をサンプル・ホールドする第２サンプル・ホールド部を備え、
前記第２電流複製回路の前記電流吐出し型電流複製回路は、
上記電流吸込み型電流複製回路の出力部に流れる電流信号をサンプル・ホールドする第３サンプル・ホールド部と、
サンプル・ホールドした上記電流信号を前記出力端子から吐出す第３出力部とを備えたことを特徴とする請求項１３に記載のアクティブ駆動型表示装置。
【請求項１７】
前記第１サンプル・ホールド部は、それぞれＰ又はＮチャンネルの第１〜第３ＴＦＴからなり、
上記第１、第２、及び第３ＴＦＴは前記最小基準電流信号をサンプルし、第３ＴＦＴはサンプルした上記最小基準電流信号を第１キャパシタを介してホールドし、
前記第１出力部は、Ｐ又はＮチャンネルの第３及び第４ＴＦＴからなり、サンプル・ホールドした上記最小基準電流信号を吸込み、
前記第２サンプル・ホールド部は、それぞれＰ又はＮチャンネルの第５〜第７ＴＦＴからなり、
上記第５、第６、及び第７ＴＦＴは前記入力端子に流れる電流信号をサンプルし、第７ＴＦＴはサンプルした上記電流信号を第２キャパシタを介してホールドし、
前記第３サンプル・ホールド部は、それぞれＰ又はＮチャンネルの第８〜第１０ＴＦＴからなり、
上記第８、第９、及び第１０ＴＦＴは上記第２キャパシタを介してホールドした電流信号をサンプルし、第１０ＴＦＴはサンプルした上記電流信号を第３キャパシタを介してホールドし、
前記第３出力部は、Ｐ又はＮチャンネルの第１０及び第１１ＴＦＴからなり、サンプル・ホールドした上記電流信号を前記出力端子から吸込むことを特徴とする請求項１５に記載のアクティブ駆動型表示装置。
【請求項１８】
前記第１サンプル・ホールド部は、それぞれＰ又はＮチャンネルの第１〜第３ＴＦＴからなり、
上記第１、第２、及び第３ＴＦＴは前記最小基準電流信号をサンプルし、第３ＴＦＴはサンプルした上記最小基準電流信号を第１キャパシタを介してホールドし、
前記第１出力部は、Ｐ又はＮチャンネルの第３及び第４ＴＦＴからなり、サンプル・ホールドした上記最小基準電流信号を吐出し、
前記第２サンプル・ホールド部は、それぞれＰ又はＮチャンネルの第５〜第７ＴＦＴからなり、
上記第５、第６、及び第７ＴＦＴは前記入力端子に流れる電流信号をサンプルし、第７ＴＦＴはサンプルした上記電流信号を第２キャパシタを介してホールドし、
前記第３サンプル・ホールド部は、それぞれＰ又はＮチャンネルの第８〜第１０ＴＦＴからなり、
上記第８、第９、及び第１０ＴＦＴは上記第２キャパシタを介してホールドした電流信号をサンプルし、第１０ＴＦＴはサンプルした上記電流信号を第３キャパシタを介してホールドし、
前記第３出力部は、Ｐ又はＮチャンネルの第１０及び第１１ＴＦＴからなり、サンプル・ホールドした上記電流信号を前記出力端子へ吐出すことを特徴とする請求項１６に記載のアクティブ駆動型表示装置。
【請求項１９】
行状に配列した走査電極と列状に配列した信号電極と、これらの走査電極と信号電極とが交差する各画素領域に電気光学素子と複数の薄膜トランジスタとキャパシタが配置され、上記走査電極を駆動する走査電極駆動回路と上記信号電極を駆動する信号電極駆動回路と基準電流発生回路を有し、画素領域に設けた電流複製回路に所望の電流信号を書き込み電気光学素子へ流す電流を制御することで階調表示させるアクティブ駆動型表示装置において、最小の基準となる電流信号を複製する電流吐出し型電流複製回路を最小単位として複数個の電流吐出し型電流複製回路を並列接続して所望とする基準電流信号を発生し基準となる電流信号を複数発生可能な電流吐出し型基準電流発生回路を備え、その複数の基準電流信号を信号電極駆動回路のデジタル信号−電流信号変換回路へ接続することを特徴とするアクティブ駆動型表示装置。
【請求項２０】
行状に配列した走査電極と列状に配列した信号電極と、これらの走査電極と信号電極とが交差する各画素領域に電気光学素子と複数の薄膜トランジスタとキャパシタが配置され、上記走査電極を駆動する走査電極駆動回路と上記信号電極を駆動する信号電極駆動回路と基準電流発生回路を有し、画素領域に設けた電流複製回路に所望の電流信号を書き込み電気光学素子へ流す電流を制御することで階調表示させるアクティブ駆動型表示装置において、最小の基準となる電流信号を複製する電流吸込み型電流複製回路を最小単位として複数個の電流吸込み型電流複製回路を並列接続して所望とする基準電流信号を発生し基準となる電流信号を複数発生可能な電流吸込み型基準電流発生回路を備え、その複数の基準電流信号を信号電極駆動回路のデジタル信号−電流信号変換回路へ接続することを特徴とするアクティブ駆動型表示装置。
【請求項２１】
行状に配列した走査電極と列状に配列した信号電極と、これらの走査電極と信号電極とが交差する各画素領域に電気光学素子と複数の薄膜トランジスタとキャパシタが配置され、上記走査電極を駆動する走査電極駆動回路と上記信号電極を駆動する信号電極駆動回路と基準電流発生回路を有し、画素領域に設けた電流複製回路に所望の電流信号を書き込み電気光学素子へ流す電流を制御することで階調表示させるアクティブ駆動型表示装置において、最小の基準となる電流信号を複製する複数の電流吐出し型電流複製回路とさらに電流吸込み型電流複製回路と電流吐出し型電流複製回路と一対で構成した複数の電流吐出し型電流複製回路により最小の基準となる電流信号の倍倍の電流信号を発生し、その発生した各倍電流信号を保持するための電流吐出し型電流複製回路より構成された基準電流発生回路を備え、その基準電流信号を信号電極駆動回路のデジタル信号−電流信号変換回路へ接続することを特徴とするアクティブ駆動型表示装置。
【請求項２２】
行状に配列した走査電極と列状に配列した信号電極と、これらの走査電極と信号電極とが交差する各画素領域に電気光学素子と複数の薄膜トランジスタとキャパシタが配置され、上記走査電極を駆動する走査電極駆動回路と上記信号電極を駆動する信号電極駆動回路と基準電流発生回路を有し、画素領域に設けた電流複製回路に所望の電流信号を書き込み電気光学素子へ流す電流を制御することで階調表示させるアクティブ駆動型表示装置において、最小の基準となる電流信号を複製する複数の電流吸込み型電流複製回路とさらに電流吐出し型電流複製回路と電流吸込み型電流複製回路と一対で構成した複数の電流吸込み型電流複製回路により最小の基準となる電流信号の倍倍の電流信号を発生し、その発生した各倍電流信号を保持するための電流吸込み型電流複製回路より構成された基準電流発生回路を備え、その基準電流信号を信号電極駆動回路のデジタル信号−電流信号変換回路へ接続することを特徴とするアクティブ駆動型表示装置。
【請求項２３】
行状に配列した走査電極と列状に配列した信号電極と、これらの走査電極と信号電極とが交差する各画素領域に電気光学素子と複数の薄膜トランジスタとキャパシタが配置され、上記走査電極を駆動する走査電極駆動回路と上記信号電極を駆動する信号電極駆動回路と基準電流発生回路を有し、画素領域に設けた電流複製回路に所望の電流信号を書き込み電気光学素子へ流す電流を制御することで階調表示させるアクティブ駆動型表示装置において、最小の基準となる電流信号を複製する複数の電流吐出し型電流複製回路とさらに電流吸込み型電流複製回路と電流吐出し型電流複製回路と一対で構成した複数の電流吐出し型電流複製回路により最小の基準となる電流信号の倍倍の電流を複製し、各電流吐出し型電流複製回路の出力を全て接続し、その出力は信号電極駆動回路のデジタル信号−電流信号変換回路へ接続することを特徴とするアクティブ駆動型表示装置。
【請求項２４】
行状に配列した走査電極と列状に配列した信号電極と、これらの走査電極と信号電極とが交差する各画素領域に電気光学素子と複数の薄膜トランジスタとキャパシタが配置され、前記走査電極を駆動する走査電極駆動回路と前記信号電極を駆動する信号電極駆動回路と基準電流発生回路を有し、画素領域に設けた電流複製回路に所望の電流信号を書き込み電気光学素子へ流す電流を制御することで階調表示させるアクティブ駆動型表示装置において、最小の基準となる電流信号を複製する複数の電流吸込み型電流複製回路とさらに電流吐出し型電流複製回路と電流吸込み型電流複製回路と一対で構成した複数の電流吸込み型電流複製回路により最小の基準となる電流信号の倍倍の電流を複製し、各電流吸込み型電流複製回路の出力を全て接続し、その出力は信号電極駆動回路のデジタル信号−電流信号変換回路へ接続することを特徴とするアクティブ駆動型表示装置。
【請求項２５】
前記電気光学素子は、有機ＥＬ素子であることを特徴とする請求項１〜２４のいずれか１項に記載のアクティブ駆動型表示装置。
【発明の詳細な説明】
【技術分野】
【０００１】
本発明は電気光学素子を定電流駆動するアクティブ駆動型表示装置の基準電流発生回路に関するものである。
【背景技術】
【０００２】
自発光型素子として、近年、有機ＥＬ素子を用いた表示装置が研究開発されている。なかでも、アクティブ駆動型有機ＥＬ表示装置は、高輝度化、低消費電力化、大画面化等の利点を有しているので、開発が盛んに行われている。
【０００３】
例えば、EURODISPLAY2002の16-1（非特許文献１）：“A Poly-Si TFT 6-bit Current Data Driver for Active Matrix Organic Light Emitting Diode Displays“では、有機EL素子を定電流で駆動するため6bitで高精度な電流駆動型データドライバ（信号電極駆動回路）の回路構成について提案されている。
【０００４】
発表された電流駆動型データドライバの回路構成について、図１３、図１４、図１５を参照しながら、以下に簡単に説明する。
【０００５】
図１３には、有機ＥＬ素子を定電流駆動するために、画素ごとに電流駆動型回路を配置した表示パネルを駆動するためのデータドライバ回路と、ゲートドライバ回路（走査電極駆動回路）とが示されており、特に、データドライバ回路の回路構成をより詳しく示している。
【０００６】
参照番号２００は、画素ごとに電流駆動型回路を配置した、横方向に１２０ドット×ＲＧＢ、縦方向１３６ドットの表示パネルである。参照番号２０１は、６０ｂｉｔのシフトレジスタである。参照番号２０２は、６ｂｉｔデータレジスタである。参照番号２０３は６ｂｉｔのラインラッチであり、参照番号２０４はシフトレジスタ２０１とは別の６０ｂｉｔシフトレジスタである。参照番号２０５は、６ｂｉｔのデジタル信号を電流信号に変換するＤｉｇｉｔａｌ−ｔｏ−Ｃｕｒｒｅｎｔ  Ｃｏｎｖｅｒｔｅｒ  Ｕｎｉｔ（以下、単に、ＤＣＣと称す。）である。参照番号２０６は６ｂｉｔ用の基準電流信号発生回路であり、参照番号２０７は１ｔｏ２セレクタである。参照番号２０８はゲートドライバである。
【０００７】
シフトレジスタ２０１は、データシフト信号を順次シフトしていき、その信号をデータレジスタ２０２へ出力する。データレジスタ２０２では、入力信号に応じてＲＧＢ各６ｂｉｔのデジタル画像信号をレジスタにストアしていく。
【０００８】
ここでは、説明の便宜上、Ｒｅｄ用画像信号を処理する回路を示しており、Ｇｒｅｅｎ、Ｂｌｕｅ用画像信号を処理する回路は省略している。このストアした６ｂｉｔデジタル画像信号は、ラインラッチ２０３へ出力され、ラッチ信号に応じて６ｂｉｔデジタル画像信号はラインラッチ２０３によってラッチされる。このラッチされた６ｂｉｔデジタル画像信号はＤＣＣ２０５へ出力される。
【０００９】
シフトレジスタ２０４はメモライズ信号を順次シフトしていき、その信号をＤＣＣ２０５へ出力している。基準電流信号発生回路２０６はＤＣＣ２０５にて６４種類（６ｂｉｔ）の電流信号を発生させるための基準となる６種類の基準電流信号Ｉｓ、Ｉｓ×２、Ｉｓ×４、Ｉｓ×８、Ｉｓ×１６、Ｉｓ×３２を発生する回路で、これら６種類の基準電流信号をＤＣＣ２０５へ出力する。
【００１０】
ＤＣＣ２０５は、ラインラッチ２０３から出力された６ｂｉｔデジタル画像信号を基準電流信号発生回路２０６から出力された６種類の基準電流信号をもとに電流信号に変換し、セレクタ２０７に出力する。デジタル画像信号から電流信号へ変換していないときにはシフトレジスタ２０４から出力される信号に応じて基準電流信号発生回路２０６から出力される基準電流信号をＤＣＣ回路２０５内にサンプリングし、ホールドする。
【００１１】
セレクタ２０７は、セレクタ信号（選択制御信号）によりＤＣＣ２０５から出力された電流信号をｏｕｔｐｕｔ１、３、・・・、１２７、１２９へ出力するかｏｕｔｐｕｔ２、４、・・・、１１８、１２０へ出力するかを選択している。ｏｕｔｐｕｔ１〜１２０は表示パネル（有機ＥＬパネル）２００のデータ電極（図示しない）に接続されている。
【００１２】
次に図１３のＤＣＣ２０５の詳細な回路構成について図１４及び図１５を参照しながら以下に説明する。
【００１３】
図１４では６ｂｉｔラインラッチ、６０ｂｉｔシフトレジスタ２、６ｂｉｔＤＣＣ、６ｂｉｔ基準電流信号発生回路、１ｔｏ２セレクタは図１３と同じであるため、同じ参照番号を付している。参照番号２１０は６ｂｉｔＤＣＣユニット、参照番号２１１は６ｂｉｔＤＣＣ（Ａ）、参照番号２１２は６ｂｉｔＤＣＣ（Ｂ）、参照番号２１３はＡ又はＢを選択するセレクタ、参照番号２１４は１ｂｉｔＤＣＣである。
【００１４】
図１５は１ｂｉｔＤＣＣ２１４を示している。同図中、参照番号２２０、２２１、２２２、及び２２３はＮチャンネルＴＦＴであり、参照番号２２４はキャパシタである。
【００１５】
ＮチャンネルＴＦＴ２２０のドレインは入力電流信号のＩｉｎに接続され、ゲートはＮチャンネルＴＦＴ２２１のゲートとともに制御信号ＭＳに接続され、ソースはＮチャンネルＴＦＴ２２１のドレインとＮチャンネルＴＦＴ２２２のドレインとＮチャンネルＴＦＴ２２３のソースに接続されている。ＮチャンネルＴＦＴ２２１のソースはＮチャンネルＴＦＴ２２２のゲートとキャパシタ２２４に接続されており、ＮチャンネルＴＦＴ２２２のソースはＧＮＤに接続されており、ＮチャンネルＴＦＴ２２３のゲートはＤａｔａに接続され、ドレインは電流信号を出力する端子Ｉｏｕｔに接続されている。
【００１６】
ここで、図１５の１ｂｉｔ−ＤＣＣ２１４の動作を簡単に説明する。ＭＳ信号を“Ｈ”（ハイレベル）にＤａｔａ信号を“Ｌ”（ローレベル）にすることで、ＮチャンネルＴＦＴ２２０・２２１がオンになり、ＮチャンネルＴＦＴ２２３がオフになる。このとき、ＮチャンネルＴＦＴ２２０のドレイン端子であるＩｉｎに基準電流信号Ｉｓを入力すると、このＩｓをＴＦＴ２２２が流すために必要な電圧がＮチャンネルＴＦＴ２２２のゲートには発生する（サンプル動作）。また、この電圧はキャパシタ２２４に保持される（ホールド動作）。
【００１７】
その後、ＭＳ信号を“Ｌ”にすることでＮチャンネルＴＦＴ２２０・２２１はオフになる。それから、Ｄａｔａ信号を“Ｌ”から図１３の６ｂｉｔデータレジスタ２０２に入力された画像Ｄａｔａに応じて“Ｈ”にするか、または“Ｌ”の状態を維持する。Ｄａｔａが“Ｈ”の場合、ＮチャンネルＴＦＴ２２３はオンし、ＮチャンネルＴＦＴ２２３のドレイン端子であるＩｏｕｔより基準電流信号Ｉｓの電流を吸い込むことになる。一方、Ｄａｔａが“Ｌ”の場合、ＮチャンネルＴＦＴ２２３はオフし、ＮチャンネルＴＦＴ２２３のドレイン端子Ｉｏｕｔからは電流を吸い込まない。
【００１８】
このような動作をする１ｂｉｔ−ＤＣＣ２１４は、図１４では６ｂｉｔ−ＤＣＣ（Ａ）２１１に同じ回路を６個内蔵している。また、６ｂｉｔ−ＤＣＣユニット２１０は６ｂｉｔ−ＤＣＣ（Ａ）２１１と同じ回路構成をもつ６ｂｉｔ−ＤＣＣ（Ｂ）２１２を内蔵している。
【００１９】
つまり、このＤＣＣ２０５ではシフトレジスタ２０４より出力される信号に応じて、６ｂｉｔ−ＤＣＣ（Ａ）２１１に６ｂｉｔ基準電流発生回路から出力される基準電流Ｉｓ，Ｉｓ×２，Ｉｓ×４，Ｉｓ×８，Ｉｓ×１６，Ｉｓ×３２の６種類の基準電流信号をサンプルしホールドするか、６ｂｉｔ−ＤＣＣ（Ｂ）２１２に６種類の基準電流信号をサンプルしホールドするかを決定している。また、ＤＣＣ２０５内の６０個の回路に順番に基準電流信号をサンプルしホールドしていく。
【００２０】
次に、６ｂｉｔラインラッチ２０３のＤａｔａに応じて、６ｂｉｔ−ＤＣＣ（Ａ）２１１内の各出力制御用ＴＦＴがオンまたはオフすることで、６ｂｉｔ画像データに応じた電流がセレクタ２１３とセレクタ２０７を通ってｏｕｔｐｕｔ１または２より電流を吸い込むことになる。
【００２１】
一方、６ｂｉｔ−ＤＣＣ（Ａ）２１１が出力動作をしているときには６ｂｉｔ−ＤＣＣ（Ｂ）２１２はシフトレジスタ２０４より出力される信号により６種類の基準電流信号をサンプルしホールドする。また、ＤＣＣ２０５内の６０個のＤＣＣ回路（Ｂ）に順番にサンプルとホールドをおこなっていく。これが完了すると、今度はラインラッチ２０３のＤａｔａに応じて、６ｂｉｔ−ＤＣＣ（Ｂ）２１２内の各出力制御用ＴＦＴがオンまたはオフすることで６ｂｉｔデータに応じた電流がセレクタ２１３とセレクタ２０７を通ってｏｕｔｐｕｔ１または２より電流を吸い込むことになる。この動作を行っているときには６ｂｉｔ−ＤＣＣ（Ａ）２１１は基準電流信号のサンプルとホールド動作を行う。このようにして、図１３の電流駆動用ドライバでは入力される６ｂｉｔのデジタル画像信号に応じ電流信号に変換して、表示パネル２００に接続されるｏｕｔｐｕｔへ信号を伝える。
【００２２】
ここでは、説明の便宜上、６ｂｉｔデータに応じて６４通りの吸い込み電流値を決定するため、基準電流信号としてＩｓ、Ｉｓ×２、Ｉｓ×４、Ｉｓ×８、Ｉｓ×１６、Ｉｓ×３２の６種類を入力しているが、特にこの基準電流信号を発生するための回路構成については言及されていない。
【００２３】
ところで、単結晶Ｓｉをもちいた半導体集積回路の基準電流信号発生回路として、特開２０００−２９３２４５（特許文献１）で提案されている回路構成がある。図１６に回路構成例を示す。
【００２４】
図１６中、参照番号３００は定電圧回路であり、一定の電圧を出力する。参照番号３０１はオペアンプなどの演算増幅器であり、定電圧回路３００からの出力電圧を基準にして、基準抵抗３０３に発生する電圧が等しくなるように、制御用Ｎチャンネルトランジスタ３０２のゲートに信号電圧を与える。
【００２５】
基準抵抗３０３は、制御用Ｎチャンネルトランジスタ３０２のソース側に、基準電圧入力端子ＶＲＥＦを介して接続される。制御用Ｎチャンネルトランジスタ３０２のドレイン側には、Ｐチャンネルトランジスタ３０４のドレインが接続される。
【００２６】
最小基準電流信号発生回路３０９の制御用Ｎチャンネルトランジスタ３０２は、前記定電圧回路３００からの出力電圧と基準抵抗３０３に基づいて定電流である最小基準電流信号Ｉｓを流す。
【００２７】
カレントミラー回路３１０では、Ｐチャンネルトランジスタ３０４と３０５、３０４と３０６、３０４と３０７とがそれぞれカレントミラーを構成している。したがって、図１６の基準電流発生回路では、Ｐチャンネルトランジスタ３０５、３０６及び３０７のソース−ドレイン間に流れる電流Ｉｓ−１、Ｉｓ−２、及びＩｓ−３が、最小基準電流信号発生回路３０９で発生する最小基準電流信号Ｉｓとそれぞれ等しくなるように動作する。
【００２８】
図１７は、図１６のようにカレントミラー回路３１０内のＰチャンネルトランジスタの接続を変えて同じ電流を出力するのでなく、１倍、２倍、４倍、８倍、１６倍、及び３２倍の電流をそれぞれ出力する回路を示している。
【００２９】
図１７に示すように、カレントミラー回路３２０において、Ｐチャンネルトランジスタ３０４は、Ｐチャンネルトランジスタ３２１〜３８３のそれぞれとカレントミラーを構成している。Ｐチャンネルトランジスタ３２１は最小基準電流信号発生回路３０９で発生した最小基準電流信号Ｉｓと同じ電流を出力し、ドレインが接続されているＰチャンネルトランジスタ３２２と３２３は最小基準電流信号Ｉｓの２倍の電流Ｉｓ×２を出力し、ドレインが接続されているＰチャンネルトランジスタ３２４、３２５、３２６、及び３２７は最小基準電流信号Ｉｓの４倍の電流Ｉｓ×４を出力し、ドレインが接続されているＰチャンネルトランジスタ３２８〜３３５は最小基準電流信号Ｉｓの８倍の電流Ｉｓ×８を出力し、ドレインが接続されているＰチャンネルトランジスタ３３６〜３５１は最小基準電流信号Ｉｓの１６倍の電流Ｉｓ×１６を出力し、ドレインが接続されているＰチャンネルトランジスタ３５２〜３８３は最小基準電流信号Ｉｓの３２倍の電流Ｉｓ×３２を出力する。このように出力された基準電流信号は、例えば、図１３の６ｂｉｔ−ＤＣＣユニット２０５へ接続される。
【特許文献１】特開２０００−２９３２４５（公開日：２０００年１０月２０日）
【非特許文献１】EURODISPLAY2002の16-1  、”A Poly-Si TFT 6-bit Current Data Driver for Active Matrix Organic Light Emitting Diode Displays“、p279-p282, K. Abe et al著、２００２年刊行
【発明の開示】
【発明が解決しようとする課題】
【００３０】
しかしながら、上記従来の技術は、次の問題点を有している。すなわち、図１６や図１７に示す構成では、単結晶Ｓｉ基板を用いて基準電流発生回路を形成しているが、ガラス基板上に形成する場合、多結晶Ｓｉ（ポリシリコン）薄膜を用いて図１６や図１７で示された基準電流発生回路を形成することになる。
【００３１】
多結晶Ｓｉ薄膜を用いて形成された薄膜トランジスタ（ＴＦＴ）は同一ガラス基板上に形成されたＴＦＴ間の閾値電圧や電子移動度などのＴＦＴ特性差が大きいということが知られている。つまり、図１６や図１７で示された回路をＴＦＴで構成した場合、カレントミラー回路を構成するトランジスタの特性が同じである場合にのみ、入力側のトランジスタに流れる電流と出力側に流れる電流とが同じになるが、図１６の構成では最小基準電流信号Ｉｓに対しで３箇所から出力される電流がＩｓと同じにならない場合が発生する。
【００３２】
また、図１７の構成では、最小基準電流信号Ｉｓに対しで正確な２倍の電流信号が出力されず、４倍、８倍、１６倍、３２倍も同様に正確な倍数の電流信号が得られない場合が発生する。
【００３３】
このような基準電流信号を図１３で示された回路へ入力した場合、画像データに対応した正確な電流値が得られないために、有機ＥＬ表示装置等の表示装置での画素部では所望とする輝度が得られない場合が発生し、所望とする画像が得られなくなってしまう。
【００３４】
本発明は、上記の問題点に鑑みなされたものであり、その目的は、最小基準電流信号の倍数で決定される複数の倍電流基準電流信号を精度よく発生し、入力した画像データに対して常に所望の画像表示を可能とするアクティブ駆動型表示装置を提供することにある。
【課題を解決するための手段】
【００３５】
本発明のアクティブ駆動型表示装置は、上記課題を解決するために、ｎ（ｎ：２以上の自然数）ビットのデジタル画像信号を基準電流発生回路から出力されるｎ種類の基準電流信号に基づいて電流信号に変換するデジタル信号−電流信号変換回路を備え、信号電極駆動回路を介して、変換された上記電流信号に基づいて電気光学素子をそれぞれ階調表示するアクティブ駆動型表示装置において、次の措置を講じたことを特徴としている。
【００３６】
すなわち、上記アクティブ駆動型表示装置は、最小基準電流信号を発生する最小基準電流信号発生回路と、上記最小基準電流信号を複製し、上記ｎ種類の基準電流信号を出力するように接続された複数の電流吐出し型電流複製回路とを備え、同時に２つ以上の電流吐出し型電流複製回路から最小基準電流信号が流れないように、上記電流吐出し型電流複製回路から上記最小基準電流信号を上記最小基準電流信号発生回路へそれぞれ流して複製し、上記電流吐出し型電流複製回路から複製された最小基準電流信号を出力して、上記ｎ種類の基準電流信号を得ることを特徴としている。
【００３７】
前記電流吐出し型電流複製回路は、前記最小基準電流信号をサンプル・ホールドするサンプル・ホールド部と、サンプル・ホールドした上記最小基準電流信号を吐出す出力部とを備えていることが好ましい。
【００３８】
前記サンプル・ホールド部は、それぞれＰ又はＮチャンネルの第１〜第３ＴＦＴからなり、上記第１、第２、及び第３ＴＦＴは前記最小基準電流信号をサンプルし、第３ＴＦＴはサンプルした上記最小基準電流信号をキャパシタを介してホールドし、前記出力部は、Ｐ又はＮチャンネルの第３及び第４ＴＦＴからなり、サンプル・ホールドした上記最小基準電流信号を吐出す構成が好ましい。
【００３９】
本発明の他のアクティブ駆動型表示装置は、上記課題を解決するために、ｎ（ｎ：２以上の自然数）ビットのデジタル画像信号を基準電流発生回路から出力されるｎ種類の基準電流信号に基づいて電流信号に変換するデジタル信号−電流信号変換回路を備え、信号電極駆動回路を介して、変換された上記電流信号に基づいて電気光学素子をそれぞれ階調表示するアクティブ駆動型表示装置において、次の措置を講じたことを特徴としている。
【００４０】
すなわち、上記アクティブ駆動型表示装置は、最小基準電流信号を発生する最小基準電流信号発生回路と、上記最小基準電流信号を複製し、上記ｎ種類の基準電流信号を吸込むように接続された複数の電流吸込み型電流複製回路とを備え、同時に２つ以上の電流吸込み型電流複製回路が最小基準電流信号を吸込まないように、上記最小基準電流信号発生回路から上記最小基準電流信号を上記電流吸込み型電流複製回路へそれぞれ流して複製し、上記電流吸込み型電流複製回路へ複製された最小基準電流信号が吸込まれて、上記ｎ種類の基準電流信号を得ることを特徴としている。
【００４１】
前記電流吸込み型電流複製回路は、前記最小基準電流信号をサンプル・ホールドするサンプル・ホールド部と、サンプル・ホールドした上記最小基準電流信号を吸込む出力部とを備えた構成が好ましい。
【００４２】
前記サンプル・ホールド部は、それぞれＰ又はＮチャンネルの第１〜第３ＴＦＴからなり、上記第１、第２、及び第３ＴＦＴは前記最小基準電流信号をサンプルし、第３ＴＦＴはサンプルした上記最小基準電流信号をキャパシタを介してホールドし、前記出力部は、Ｐ又はＮチャンネルの第３及び第４ＴＦＴからなり、サンプル・ホールドした上記最小基準電流信号を吸込む構成が好ましい。
【００４３】
本発明の更に他のアクティブ駆動型表示装置は、上記課題を解決するために、ｎ（ｎ：２以上の自然数）ビットのデジタル画像信号を基準電流発生回路から出力されるｎ種類の基準電流信号に基づいて電流信号に変換するデジタル信号−電流信号変換回路を備え、信号電極駆動回路を介して、変換された上記電流信号に基づいて電気光学素子をそれぞれ階調表示するアクティブ駆動型表示装置において、次の措置を講じたことを特徴としている。
【００４４】
すなわち、上記アクティブ駆動型表示装置は、最小基準電流信号を発生する最小基準電流信号発生回路と、上記ｎ種類の基準電流信号を出力するようにそれぞれ接続され、上記最小基準電流信号を複製する電流吐出し型電流複製回路からなる２個の第１電流複製回路と、直列に接続された一対の電流吸込み型電流複製回路および電流吐出し型電流複製回路からなる複数の第２電流複製回路とを備え、上記第１電流複製回路の出力端子と上記第２電流複製回路の入力端子とは互いに接続されると共に、上記ｎ種類の基準電流信号の出力用以外の第２電流複製回路は出力端子と入力端子がそれぞれ接続され、同時に２つの第１電流複製回路から最小基準電流信号が流れないように、上記第１電流複製回路から上記最小基準電流信号を上記最小基準電流信号発生回路へそれぞれ流すと共に、上記出力用の第２電流複製回路から上記ｎ種類の基準電流信号をそれぞれ出力することを特徴としている。
【００４５】
前記第１電流複製回路の前記電流吐出し型電流複製回路は、前記最小基準電流信号をサンプル・ホールドする第１サンプル・ホールド部と、サンプル・ホールドした上記最小基準電流信号を前記出力端子へ吐出す第１出力部とをそれぞれ備え、前記第２電流複製回路の前記電流吸込み型電流複製回路は、入力端子に流れる電流信号をサンプル・ホールドする第２サンプル・ホールド部を備え、前記第２電流複製回路の前記電流吐出し型電流複製回路は、上記第２サンプル・ホールド部でホールドされた電流信号をサンプル・ホールドする第３サンプル・ホールド部と、サンプル・ホールドした上記電流信号を前記出力端子へ吐出す第３出力部とを備えていることが好ましい。
【００４６】
前記第１サンプル・ホールド部は、それぞれＰ又はＮチャンネルの第１〜第３ＴＦＴからなり、上記第１、第２、及び第３ＴＦＴは前記最小基準電流信号をサンプルし、第３ＴＦＴはサンプルした上記最小基準電流信号を第１キャパシタを介してホールドし、前記第１出力部は、Ｐ又はＮチャンネルの第３及び第４ＴＦＴからなり、サンプル・ホールドした上記最小基準電流信号を吐出し、前記第２サンプル・ホールド部は、それぞれＰ又はＮチャンネルの第５〜第７ＴＦＴからなり、上記第５、第６、及び第７ＴＦＴは前記入力端子に流れる電流信号をサンプルし、第７ＴＦＴはサンプルした上記電流信号を第２キャパシタを介してホールドし、前記第３サンプル・ホールド部は、それぞれＰ又はＮチャンネルの第８〜第１０ＴＦＴからなり、上記第８、第９、及び第１０ＴＦＴは上記第２キャパシタを介してホールドした電流信号をサンプルし、第１０ＴＦＴはサンプルした上記電流信号を第３キャパシタを介してホールドし、前記第３出力部は、Ｐ又はＮチャンネルの第１０及び第１１ＴＦＴからなり、サンプル・ホールドした上記電流信号を前記出力端子へ吐出す構成が好ましい。
【００４７】
本発明の更に他のアクティブ駆動型表示装置は、上記課題を解決するために、ｎ（ｎ：２以上の自然数）ビットのデジタル画像信号を基準電流発生回路から出力されるｎ種類の基準電流信号に基づいて電流信号に変換するデジタル信号−電流信号変換回路を備え、信号電極駆動回路を介して、変換された上記電流信号に基づいて電気光学素子をそれぞれ階調表示するアクティブ駆動型表示装置において、次の措置を講じたことを特徴としている。
【００４８】
すなわち、上記アクティブ駆動型表示装置は、最小基準電流信号を発生する最小基準電流信号発生回路と、上記ｎ種類の基準電流信号を出力するようにそれぞれ接続され、上記最小基準電流信号を複製する電流吸込み型電流複製回路からなる２個の第１電流複製回路と、直列に接続された一対の電流吐出し型電流複製回路および電流吸込み型電流複製回路からなる複数の第２電流複製回路とを備え、上記第１電流複製回路の出力端子と上記第２電流複製回路の入力端子とは互いに接続されると共に、上記ｎ種類の基準電流信号の出力用以外の第２電流複製回路は出力端子と入力端子がそれぞれ接続され、同時に２つの第１電流複製回路へ最小基準電流信号が流れないように、上記最小基準電流信号発生回路から上記最小基準電流信号を上記第１電流複製回路へそれぞれ流すと共に、上記出力用の第２電流複製回路が上記ｎ種類の基準電流信号をそれぞれ吸込むことを特徴としている。
【００４９】
前記第１電流複製回路の前記電流吸込み型電流複製回路は、前記最小基準電流信号をサンプル・ホールドする第１サンプル・ホールド部と、サンプル・ホールドした上記最小基準電流信号を前記出力端子へ吸込む第１出力部とをそれぞれ備え、前記第２電流複製回路の前記電流吐出し型電流複製回路は、入力端子に流れる電流信号をサンプル・ホールドする第２サンプル・ホールド部を備え、前記第２電流複製回路の前記電流吸込み型電流複製回路は、上記第２サンプル・ホールド部でホールドされた電流信号をサンプル・ホールドする第３サンプル・ホールド部と、サンプル・ホールドした上記電流信号を前記出力端子から吸込む第３出力部とを備えた構成であってもよい。
【００５０】
前記第１サンプル・ホールド部は、それぞれＰ又はＮチャンネルの第１〜第３ＴＦＴからなり、上記第１、第２、及び第３ＴＦＴは前記最小基準電流信号をサンプルし、第３ＴＦＴはサンプルした上記最小基準電流信号を第１キャパシタを介してホールドし、前記第１出力部は、Ｐ又はＮチャンネルの第３及び第４ＴＦＴからなり、サンプル・ホールドした上記最小基準電流信号を吸込み、前記第２サンプル・ホールド部は、それぞれＰ又はＮチャンネルの第５〜第７ＴＦＴからなり、上記第５、第６、及び第７ＴＦＴは前記入力端子に流れる電流信号をサンプルし、第７ＴＦＴはサンプルした上記電流信号を第２キャパシタを介してホールドし、前記第３サンプル・ホールド部は、それぞれＰ又はＮチャンネルの第８〜第１０ＴＦＴからなり、上記第８、第９、及び第１０ＴＦＴは上記第２キャパシタを介してホールドした電流信号をサンプルし、第１０ＴＦＴはサンプルした上記電流信号を第３キャパシタを介してホールドし、前記第３出力部は、Ｐ又はＮチャンネルの第１０及び第１１ＴＦＴからなり、サンプル・ホールドした上記電流信号を前記出力端子から吸込む構成が好ましい。
【００５１】
本発明の更に他のアクティブ駆動型表示装置は、上記課題を解決するために、ｎ（ｎ：２以上の自然数）ビットのデジタル画像信号を基準電流発生回路から出力されるｎ種類の基準電流信号に基づいて電流信号に変換するデジタル信号−電流信号変換回路を備え、信号電極駆動回路を介して、変換された上記電流信号に基づいて電気光学素子をそれぞれ階調表示するアクティブ駆動型表示装置において、次の措置を講じたことを特徴としている。
【００５２】
すなわち、上記アクティブ駆動型表示装置は、最小基準電流信号を発生する最小基準電流信号発生回路と、上記ｎ種類の基準電流信号を出力するようにそれぞれ接続され、上記最小基準電流信号を複製する電流吐出し型電流複製回路からなる２個の第１電流複製回路と、直列に接続された一対の電流吸込み型電流複製回路および電流吐出し型電流複製回路からなる複数の第２電流複製回路とを備え、上記第１電流複製回路の出力端子と上記第２電流複製回路の入力端子とは互いに接続されると共に、上記第２電流複製回路は出力端子と入力端子がそれぞれ接続され、同時に２つの第１電流複製回路から最小基準電流信号が流れないように、上記第１電流複製回路から上記最小基準電流信号を上記最小基準電流信号発生回路へそれぞれ流すと共に、上記第１及び第２電流複製回路から上記ｎ種類の基準電流信号をそれぞれ出力することを特徴としている。
【００５３】
前記第１電流複製回路の前記電流吐出し型電流複製回路は、前記最小基準電流信号をサンプル・ホールドする第１サンプル・ホールド部と、サンプル・ホールドした上記最小基準電流信号を前記出力端子へ吐出す第１出力部とをそれぞれ備え、前記第２電流複製回路の前記電流吸込み型電流複製回路は、入力端子に流れる電流信号をサンプル・ホールドする第２サンプル・ホールド部を備え、前記第２電流複製回路の前記電流吐出し型電流複製回路は、上記第２サンプル・ホールド部でホールドされた電流信号をサンプル・ホールドする第３サンプル・ホールド部と、サンプル・ホールドした上記電流信号を前記出力端子へ吐出す第３出力部とを備えた構成が好ましい。
【００５４】
前記第１サンプル・ホールド部は、それぞれＰ又はＮチャンネルの第１〜第３ＴＦＴからなり、上記第１、第２、及び第３ＴＦＴは前記最小基準電流信号をサンプルし、第３ＴＦＴはサンプルした上記最小基準電流信号を第１キャパシタを介してホールドし、前記第１出力部は、Ｐ又はＮチャンネルの第３及び第４ＴＦＴからなり、サンプル・ホールドした上記最小基準電流信号を吐出し、前記第２サンプル・ホールド部は、それぞれＰ又はＮチャンネルの第５〜第７ＴＦＴからなり、上記第５、第６、及び第７ＴＦＴは前記入力端子に流れる電流信号をサンプルし、第７ＴＦＴはサンプルした上記電流信号を第２キャパシタを介してホールドし、前記第３サンプル・ホールド部は、それぞれＰ又はＮチャンネルの第８〜第１０ＴＦＴからなり、上記第８、第９、及び第１０ＴＦＴは上記第２キャパシタを介してホールドした電流信号をサンプルし、第１０ＴＦＴはサンプルした上記電流信号を第３キャパシタを介してホールドし、前記第３出力部は、Ｐ又はＮチャンネルの第１０及び第１１ＴＦＴからなり、サンプル・ホールドした上記電流信号を前記出力端子へ吐出す構成が好ましい。
【００５５】
本発明の更に他のアクティブ駆動型表示装置は、上記課題を解決するために、ｎ（ｎ：２以上の自然数）ビットのデジタル画像信号を基準電流発生回路から出力されるｎ種類の基準電流信号に基づいて電流信号に変換するデジタル信号−電流信号変換回路を備え、信号電極駆動回路を介して、変換された上記電流信号に基づいて電気光学素子をそれぞれ階調表示するアクティブ駆動型表示装置において、次の措置を講じたことを特徴としている。
【００５６】
すなわち、上記アクティブ駆動型表示装置は、最小基準電流信号を発生する最小基準電流信号発生回路と、上記ｎ種類の基準電流信号を出力するようにそれぞれ接続され、上記最小基準電流信号を複製する電流吸込み型電流複製回路からなる２個の第１電流複製回路と、直列に接続された一対の電流吐出し型電流複製回路および電流吸込み型電流複製回路からなる複数の第２電流複製回路とを備え、上記第１電流複製回路の出力端子と上記第２電流複製回路の入力端子とは互いに接続されると共に、上記第２電流複製回路は出力端子と入力端子がそれぞれ接続され、同時に２つの第１電流複製回路へ最小基準電流信号が流れないように、上記最小基準電流信号発生回路から上記最小基準電流信号を上記第１電流複製回路へそれぞれ流すと共に、上記第１及び第２電流複製回路が上記ｎ種類の基準電流信号をそれぞれ吸込むことを特徴としている。
【００５７】
前記第１電流複製回路の前記電流吸込み型電流複製回路は、前記最小基準電流信号をサンプル・ホールドする第１サンプル・ホールド部と、サンプル・ホールドした上記最小基準電流信号を前記出力端子へ吸込む第１出力部とをそれぞれ備え、前記第２電流複製回路の前記電流吐出し型電流複製回路は、入力端子に流れる電流信号をサンプル・ホールドする第２サンプル・ホールド部を備え、前記第２電流複製回路の前記電流吸込み型電流複製回路は、上記の第２サンプル・ホールド部でホールドされた電流信号をサンプル・ホールドする第３サンプル・ホールド部と、サンプル・ホールドした上記電流信号を前記出力端子から吸込む第３出力部とを備えた構成が好ましい。
【００５８】
前記第１サンプル・ホールド部は、それぞれＰ又はＮチャンネルの第１〜第３ＴＦＴからなり、上記第１、第２、及び第３ＴＦＴは前記最小基準電流信号をサンプルし、第３ＴＦＴはサンプルした上記最小基準電流信号を第１キャパシタを介してホールドし、前記第１出力部は、Ｐ又はＮチャンネルの第３及び第４ＴＦＴからなり、サンプル・ホールドした上記最小基準電流信号を吸込み、前記第２サンプル・ホールド部は、それぞれＰ又はＮチャンネルの第５〜第７ＴＦＴからなり、上記第５、第６、及び第７ＴＦＴは前記入力端子に流れる電流信号をサンプルし、第７ＴＦＴはサンプルした上記電流信号を第２キャパシタを介してホールドし、前記第３サンプル・ホールド部は、それぞれＰ又はＮチャンネルの第８〜第１０ＴＦＴからなり、上記第８、第９、及び第１０ＴＦＴは上記第２キャパシタを介してホールドした電流信号をサンプルし、第１０ＴＦＴはサンプルした上記電流信号を第３キャパシタを介してホールドし、前記第３出力部は、Ｐ又はＮチャンネルの第１０及び第１１ＴＦＴからなり、サンプル・ホールドした上記電流信号を前記出力端子から吸込む構成が好ましい。
【００５９】
本発明の更に他のアクティブ駆動型表示装置は、上記課題を解決するために、行状に配列した走査電極と列状に配列した信号電極と、これらの走査電極と信号電極とが交差する各画素領域に電気光学素子と複数の薄膜トランジスタとキャパシタが配置され、上記走査電極を駆動する走査電極駆動回路と上記信号電極を駆動する信号電極駆動回路と基準電流発生回路を有し、画素領域に設けた電流複製回路に所望の電流信号を書き込み電気光学素子へ流す電流を制御することで階調表示させるアクティブ駆動型表示装置において、最小の基準となる電流信号を複製する電流吐出し型電流複製回路を最小単位として複数個の電流吐出し型電流複製回路を並列接続して所望とする基準電流信号を発生し基準となる電流信号を複数発生可能な電流吐出し型基準電流発生回路を備え、その複数の基準電流信号を信号電極駆動回路のデジタル信号−電流信号変換回路へ接続することを特徴としている。
【００６０】
本発明の更に他のアクティブ駆動型表示装置は、上記課題を解決するために、行状に配列した走査電極と列状に配列した信号電極と、これらの走査電極と信号電極とが交差する各画素領域に電気光学素子と複数の薄膜トランジスタとキャパシタが配置され、上記走査電極を駆動する走査電極駆動回路と上記信号電極を駆動する信号電極駆動回路と基準電流発生回路を有し、画素領域に設けた電流複製回路に所望の電流信号を書き込み電気光学素子へ流す電流を制御することで階調表示させるアクティブ駆動型表示装置において、最小の基準となる電流信号を複製する電流吸込み型電流複製回路を最小単位として複数個の電流吸込み型電流複製回路を並列接続して所望とする基準電流信号を発生し基準となる電流信号を複数発生可能な電流吸込み型基準電流発生回路を備え、その複数の基準電流信号を信号電極駆動回路のデジタル信号−電流信号変換回路へ接続することを特徴としている。
【００６１】
本発明の更に他のアクティブ駆動型表示装置は、上記課題を解決するために、行状に配列した走査電極と列状に配列した信号電極と、これらの走査電極と信号電極とが交差する各画素領域に電気光学素子と複数の薄膜トランジスタとキャパシタが配置され、上記走査電極を駆動する走査電極駆動回路と上記信号電極を駆動する信号電極駆動回路と基準電流発生回路を有し、画素領域に設けた電流複製回路に所望の電流信号を書き込み電気光学素子へ流す電流を制御することで階調表示させるアクティブ駆動型表示装置において、最小の基準となる電流信号を複製する複数の電流吐出し型電流複製回路とさらに電流吸込み型電流複製回路と電流吐出し型電流複製回路と一対で構成した複数の電流吐出し型電流複製回路により最小の基準となる電流信号の倍倍の電流信号を発生し、その発生した各倍電流信号を保持するための電流吐出し型電流複製回路より構成された基準電流発生回路を備え、その基準電流信号を信号電極駆動回路のデジタル信号−電流信号変換回路へ接続することを特徴としている。
【００６２】
本発明の更に他のアクティブ駆動型表示装置は、上記課題を解決するために、行状に配列した走査電極と列状に配列した信号電極と、これらの走査電極と信号電極とが交差する各画素領域に電気光学素子と複数の薄膜トランジスタとキャパシタが配置され、上記走査電極を駆動する走査電極駆動回路と上記信号電極を駆動する信号電極駆動回路と基準電流発生回路を有し、画素領域に設けた電流複製回路に所望の電流信号を書き込み電気光学素子へ流す電流を制御することで階調表示させるアクティブ駆動型表示装置において、最小の基準となる電流信号を複製する複数の電流吸込み型電流複製回路とさらに電流吐出し型電流複製回路と電流吸込み型電流複製回路と一対で構成した複数の電流吸込み型電流複製回路により最小の基準となる電流信号の倍倍の電流信号を発生し、その発生した各倍電流信号を保持するための電流吸込み型電流複製回路より構成された基準電流発生回路を備え、その基準電流信号を信号電極駆動回路のデジタル信号−電流信号変換回路へ接続することを特徴としている。
【００６３】
本発明の更に他のアクティブ駆動型表示装置は、上記課題を解決するために、行状に配列した走査電極と列状に配列した信号電極と、これらの走査電極と信号電極とが交差する各画素領域に電気光学素子と複数の薄膜トランジスタとキャパシタが配置され、上記走査電極を駆動する走査電極駆動回路と上記信号電極を駆動する信号電極駆動回路と基準電流発生回路を有し、画素領域に設けた電流複製回路に所望の電流信号を書き込み電気光学素子へ流す電流を制御することで階調表示させるアクティブ駆動型表示装置において、最小の基準となる電流信号を複製する複数の電流吐出し型電流複製回路とさらに電流吸込み型電流複製回路と電流吐出し型電流複製回路と一対で構成した複数の電流吐出し型電流複製回路により最小の基準となる電流信号の倍倍の電流を複製し、各電流吐出し型電流複製回路の出力を全て接続し、その出力は信号電極駆動回路のデジタル信号−電流信号変換回路へ接続することを特徴としている。
【００６４】
本発明の更に他のアクティブ駆動型表示装置は、上記課題を解決するために、行状に配列した走査電極と列状に配列した信号電極と、これらの走査電極と信号電極とが交差する各画素領域に電気光学素子と複数の薄膜トランジスタとキャパシタが配置され、前記走査電極を駆動する走査電極駆動回路と前記信号電極を駆動する信号電極駆動回路と基準電流発生回路を有し、画素領域に設けた電流複製回路に所望の電流信号を書き込み電気光学素子へ流す電流を制御することで階調表示させるアクティブ駆動型表示装置において、最小の基準となる電流信号を複製する複数の電流吸込み型電流複製回路とさらに電流吐出し型電流複製回路と電流吸込み型電流複製回路と一対で構成した複数の電流吸込み型電流複製回路により最小の基準となる電流信号の倍倍の電流を複製し、各電流吸込み型電流複製回路の出力を全て接続し、その出力は信号電極駆動回路のデジタル信号−電流信号変換回路へ接続することを特徴としている。
【００６５】
前記電気光学素子は、有機ＥＬ素子であることが好ましい。
【発明の効果】
【００６６】
本発明に係るアクティブ駆動型表示装置は、以上のように、最小基準電流信号を発生する最小基準電流信号発生回路と、上記最小基準電流信号を複製し、上記ｎ種類の基準電流信号を出力するように接続された複数の電流吐出し型電流複製回路とを備え、同時に２つ以上の電流吐出し型電流複製回路から最小基準電流信号が流れないように、上記電流吐出し型電流複製回路から上記最小基準電流信号を上記最小基準電流信号発生回路へそれぞれ流して複製し、上記電流吐出し型電流複製回路から複製された最小基準電流信号を出力して、上記ｎ種類の基準電流信号を得ることを特徴としている。
【００６７】
上記の発明によれば、ｎビットのデジタル画像信号が、デジタル信号−電流信号変換回路によって、基準電流発生回路から出力されるｎ種類の基準電流信号に基づいて電流信号に変換され、信号電極駆動回路を介して、このように変換された上記電流信号に基づいて電気光学素子がそれぞれ階調表示される。
【００６８】
複数の電流吐出し型電流複製回路は、上記ｎ種類の基準電流信号が基準電流発生回路から出力されるようにそれぞれ接続されており、各複製回路は、上記最小基準電流信号を複製し、複製した最小基準電流信号を出力する。各複製回路が上記のように接続されているので、複製した最小基準電流信号が各電流吐出し型電流複製回路から出力されることによって、全体として、上記ｎ種類の基準電流信号が得られることになる。
【００６９】
上記複製の際、上記電流吐出し型電流複製回路から最小基準電流信号が上記最小基準電流信号発生回路へそれぞれ流される。このとき、同時に２つ以上の電流吐出し型電流複製回路から最小基準電流信号が流れることはないので、常に同一の最小基準電流信号が電流吐出し型電流複製回路から最小基準電流信号発生回路へ吐出されることになり、これにより、各複製回路において同一の最小基準電流信号を高精度に複製することが可能となる。
【００７０】
カレントミラー回路を構成する薄膜トランジスタ間の閾値電圧や電子移動度などの特性差が大きいときに正確な基準電流信号が得られない従来技術と異なって、上記発明によれば、常に同一の最小基準電流信号が電流吐出し型電流複製回路から上記の最小基準電流信号発生回路へそれぞれ流れ、電流吐出し型電流複製回路から上記最小基準電流信号が複製されて出力される。
【００７１】
これにより、薄膜トランジスタ間の特性差に起因する制約を受けることなく、常に正確な基準電流信号を生成することが可能となる。それゆえ、電気光学素子において常に所望とする輝度が得られ、所望とする画像を確実に得ることが可能となるという効果を併せて奏する。
【００７２】
前記電流吐出し型電流複製回路は、サンプル・ホールド部と、サンプル・ホールドした最小基準電流信号を吐出す出力部とを備えていることが好ましい。
【００７３】
前記サンプル・ホールド部は、それぞれＰ又はＮチャンネルの第１〜第３ＴＦＴからなり、上記第１、第２、及び第３ＴＦＴは前記最小基準電流信号をサンプルし、第３ＴＦＴはサンプルした上記最小基準電流信号をキャパシタを介してホールドし、前記出力部は、Ｐ又はＮチャンネルの第３及び第４ＴＦＴからなり、サンプル・ホールドした上記最小基準電流信号を吐出す構成が好ましい。
【００７４】
上記の構成のように、電流吐出し型電流複製回路をカレントミラー回路構成としないことにより、上記の効果を奏することが可能である。
【００７５】
本発明に係る他のアクティブ駆動型表示装置は、以上のように、最小基準電流信号を発生する最小基準電流信号発生回路と、上記最小基準電流信号を複製し、上記ｎ種類の基準電流信号を吸込むように接続された複数の電流吸込み型電流複製回路とを備え、同時に２つ以上の電流吸込み型電流複製回路が最小基準電流信号を吸込まないように、上記最小基準電流信号発生回路から上記最小基準電流信号を上記電流吸込み型電流複製回路へそれぞれ流して複製し、上記電流吸込み型電流複製回路へ複製された最小基準電流信号が吸込まれて、上記ｎ種類の基準電流信号を得ることを特徴としている。
【００７６】
上記の発明によれば、ｎビットのデジタル画像信号が、信号電極駆動回路内のデジタル信号−電流信号変換回路によって、基準電流発生回路から出力されるｎ種類の基準電流信号に基づいて電流信号に変換され、信号電極駆動回路を介して、このように変換された上記電流信号に基づいて電気光学素子がそれぞれ階調表示される。
【００７７】
複数の電流吸込み型電流複製回路は、上記ｎ種類の基準電流信号が吸込まれるようにそれぞれ接続されており、各複製回路は、最小基準電流信号を複製し、複製した最小基準電流信号を吸込む。各複製回路が上記のように接続されているので、複製した最小基準電流信号が各電流吸込み型電流複製回路に流れることによって、全体として、上記ｎ種類の基準電流信号が得られることになる。
【００７８】
上記複製の際、上記電流吸込み型電流複製回路へ最小基準電流信号が上記最小基準電流信号発生回路からそれぞれ流される。このとき、同時に２つ以上の電流吸込み型電流複製回路へ最小基準電流信号が流れることはないので、常に同一の最小基準電流信号が最小基準電流信号発生回路から電流吸込み型電流複製回路へ吸込まれることになり、これにより、各複製回路において同一の最小基準電流信号を高精度に複製することが可能となる。
【００７９】
カレントミラー回路を構成する薄膜トランジスタ間の閾値電圧や電子移動度などの特性差が大きいときに正確な基準電流信号が得られない従来技術と異なって、上記発明によれば、常に同一の最小基準電流信号が最小基準電流信号発生回路から電流吸込み型電流複製回路へそれぞれ流れ、電流吸込み型電流複製回路において上記最小基準電流信号が吸込まれて複製される。
【００８０】
これにより、薄膜トランジスタ間の特性差に起因する制約を受けることなく、常に正確な基準電流信号を生成することが可能となる。それゆえ、電気光学素子において常に所望とする輝度が得られ、所望とする画像を確実に得ることが可能となるという効果を併せて奏する。
【００８１】
前記電流吸込み型電流複製回路は、サンプル・ホールド部と、サンプル・ホールドした最小基準電流信号を吸込む出力部とを備えていることが好ましい。
【００８２】
前記サンプル・ホールド部は、それぞれＰ又はＮチャンネルの第１〜第３ＴＦＴからなり、上記第１、第２、及び第３ＴＦＴは前記最小基準電流信号をサンプルし、第３ＴＦＴはサンプルした上記最小基準電流信号をキャパシタを介してホールドし、前記出力部は、Ｐ又はＮチャンネルの第３及び第４ＴＦＴからなり、サンプル・ホールドした上記最小基準電流信号を吸込む構成が好ましい。
【００８３】
上記の構成のように、電流吸込み型電流複製回路をカレントミラー回路構成としないことにより、上記の効果を奏することが可能である。
【００８４】
本発明に係る更に他のアクティブ駆動型表示装置は、以上のように、最小基準電流信号を発生する最小基準電流信号発生回路と、上記ｎ種類の基準電流信号を出力するようにそれぞれ接続され、上記最小基準電流信号を複製する電流吐出し型電流複製回路からなる２個の第１電流複製回路と、直列に接続された一対の電流吸込み型電流複製回路および電流吐出し型電流複製回路からなる複数の第２電流複製回路とを備え、上記第１電流複製回路の出力端子と上記第２電流複製回路の入力端子とは互いに接続されると共に、上記ｎ種類の基準電流信号の出力用以外の第２電流複製回路は出力端子と入力端子がそれぞれ接続され、同時に２つの第１電流複製回路から最小基準電流信号が流れないように、上記第１電流複製回路から上記最小基準電流信号を上記最小基準電流信号発生回路へそれぞれ流すと共に、上記出力用の第２電流複製回路から上記ｎ種類の基準電流信号をそれぞれ出力することを特徴としている。
【００８５】
上記の発明によれば、ｎビットのデジタル画像信号が、信号電極駆動回路内のデジタル信号−電流信号変換回路によって、基準電流発生回路から出力されるｎ種類の基準電流信号に基づいて電流信号に変換され、信号電極駆動回路を介して、このように変換された上記電流信号に基づいて電気光学素子がそれぞれ階調表示される。
【００８６】
第１電流複製回路は、２個設けられ、それぞれ、電流吐出し型電流複製回路からなり、最小基準電流信号を複製し、これを出力する。第２電流複製回路は、直列に接続された一対の電流吸込み型電流複製回路および電流吐出し型電流複製回路からなり、複数設けられている。第１及び第２電流複製回路は、上記ｎ種類の基準電流信号を出力するようにそれぞれ接続されている。
【００８７】
上記第１電流複製回路から上記最小基準電流信号が上記最小基準電流信号発生回路へそれぞれ流される。上記第１電流複製回路から最小基準電流信号が上記最小基準電流信号発生回路へそれぞれ流されるが、この際、同時に２つの第１電流複製回路から最小基準電流信号が流れることはない。これにより、常に同一の最小基準電流信号が第１電流複製回路から最小基準電流信号発生回路へ吐出されることになるので、各第１電流複製回路において同一の最小基準電流信号を高精度に複製することが可能となる。
【００８８】
一方、上記第１電流複製回路の出力端子と上記第２電流複製回路の入力端子とは互いに接続されている。第２電流複製回路はそれぞれの入力端子で互いに接続されていることになる。加えて、上記ｎ種類の基準電流信号の出力用以外の第２電流複製回路は、出力端子と入力端子がそれぞれ接続されている。
【００８９】
この接続関係により、上記同一の最小基準電流信号を複製したものが２個の第１電流複製回路から第２電流複製回路のうちの一つへ入力されると、ここで、上記同一の最小基準電流信号を２倍したものが複製される。この第２電流複製回路の出力電流信号（上記同一の最小基準電流信号を２倍したもの）と、２個の上記第１電流複製回路からの最小基準電流信号とを他の第２電流複製回路に入力すると、ここで、上記同一の最小基準電流信号を４倍したものが複製される。以下同様に複製することによって、同一の最小基準電流信号を２のべき乗倍したものを基準電流信号の出力用の第２電流複製回路から出力することが可能となる。これにより、ｎ種類の上記基準電流信号をそれぞれ得ることが可能となる。
【００９０】
カレントミラー回路を構成する薄膜トランジスタ間の閾値電圧や電子移動度などの特性差が大きいときに正確な基準電流信号が得られない従来技術と異なって、上記発明によれば、常に同一の最小基準電流信号が第１電流複製回路から最小基準電流信号発生回路へそれぞれ流れ、上記最小基準電流信号が複製されて出力されると共に、上記同一の最小基準電流信号を２のべき乗倍したものを上記ｎ種類の基準電流信号として出力することが可能となる。
【００９１】
これにより、薄膜トランジスタ間の特性差に起因する制約を受けることなく、常に正確な基準電流信号を生成することが可能となる。それゆえ、電気光学素子において常に所望とする輝度が得られ、所望とする画像を確実に得ることが可能となるという効果を併せて奏する。
【００９２】
前記第１電流複製回路の前記電流吐出し型電流複製回路は、前記最小基準電流信号をサンプル・ホールドする第１サンプル・ホールド部と、サンプル・ホールドした上記最小基準電流信号を前記出力端子へ吐出す第１出力部とをそれぞれ備え、前記第２電流複製回路の前記電流吸込み型電流複製回路は、入力端子に流れる電流信号をサンプル・ホールドする第２サンプル・ホールド部を備え、前記第２電流複製回路の前記電流吐出し型電流複製回路は、上記電流吸込み型電流複製回路の出力部に流れる電流信号をサンプル・ホールドする第３サンプル・ホールド部と、サンプル・ホールドした上記電流信号を前記出力端子へ吐出す第３出力部とを備えていることが好ましい。
【００９３】
前記第１サンプル・ホールド部は、それぞれＰ又はＮチャンネルの第１〜第３ＴＦＴからなり、上記第１、第２、及び第３ＴＦＴは前記最小基準電流信号をサンプルし、第３ＴＦＴはサンプルした上記最小基準電流信号を第１キャパシタを介してホールドし、前記第１出力部は、Ｐ又はＮチャンネルの第３及び第４ＴＦＴからなり、サンプル・ホールドした上記最小基準電流信号を吐出し、前記第２サンプル・ホールド部は、それぞれＰ又はＮチャンネルの第５〜第７ＴＦＴからなり、上記第５、第６、及び第７ＴＦＴは前記入力端子に流れる電流信号をサンプルし、第７ＴＦＴはサンプルした上記電流信号を第２キャパシタを介してホールドし、前記第３サンプル・ホールド部は、それぞれＰ又はＮチャンネルの第８〜第１０ＴＦＴからなり、上記第８、第９、及び第１０ＴＦＴは上記第２キャパシタを介してホールドした電流信号をサンプルし、第１０ＴＦＴはサンプルした上記電流信号を第３キャパシタを介してホールドし、前記第３出力部は、Ｐ又はＮチャンネルの第１０及び第１１ＴＦＴからなり、サンプル・ホールドした上記電流信号を前記出力端子へ吐出す構成が好ましい。
【００９４】
上記の構成のように、第１及び第２電流複製回路をカレントミラー回路構成としないことにより、上記の効果を奏することが可能である。
【００９５】
本発明に係る更に他のアクティブ駆動型表示装置は、以上のように、最小基準電流信号を発生する最小基準電流信号発生回路と、上記ｎ種類の基準電流信号を出力するようにそれぞれ接続され、上記最小基準電流信号を複製する電流吸込み型電流複製回路からなる２個の第１電流複製回路と、直列に接続された一対の電流吐出し型電流複製回路および電流吸込み型電流複製回路からなる複数の第２電流複製回路とを備え、上記第１電流複製回路の出力端子と上記第２電流複製回路の入力端子とは互いに接続されると共に、上記ｎ種類の基準電流信号の出力用以外の第２電流複製回路は出力端子と入力端子がそれぞれ接続され、同時に２つの第１電流複製回路へ最小基準電流信号が流れないように、上記最小基準電流信号発生回路から上記最小基準電流信号を上記第１電流複製回路へそれぞれ流すと共に、上記出力用の第２電流複製回路が上記ｎ種類の基準電流信号をそれぞれ吸込むことを特徴としている。
【００９６】
上記の発明によれば、ｎビットのデジタル画像信号が、信号電極駆動回路内のデジタル信号−電流信号変換回路によって、基準電流発生回路から出力されるｎ種類の基準電流信号に基づいて電流信号に変換され、信号電極駆動回路を介して、このように変換された上記電流信号に基づいて電気光学素子がそれぞれ階調表示される。
【００９７】
第１電流複製回路は、２個設けられ、それぞれ、電流吸込み型電流複製回路からなり、最小基準電流信号を吸込み、これを複製する。第２電流複製回路は、直列に接続された一対の電流吐出し型電流複製回路および電流吸込み型電流複製回路からなり、複数設けられている。第１及び第２電流複製回路は、上記ｎ種類の基準電流信号を出力するようにそれぞれ接続されている。
【００９８】
上記最小基準電流信号発生回路から上記最小基準電流信号が上記第１電流複製回路へそれぞれ流される。上記最小基準電流信号発生回路から最小基準電流信号が上記第１電流複製回路へそれぞれ流されるが、この際、同時に２つの第１電流複製回路へ最小基準電流信号が流れることはない。これにより、常に同一の最小基準電流信号が最小基準電流信号発生回路から第１電流複製回路へ吐出されることになるので、各第１電流複製回路において同一の最小基準電流信号を高精度に複製することが可能となる。
【００９９】
一方、上記第１電流複製回路の出力端子と上記第２電流複製回路の入力端子とは互いに接続されている。第２電流複製回路はそれぞれの入力端子で互いに接続されていることになる。加えて、上記ｎ種類の基準電流信号の出力用以外の第２電流複製回路は、出力端子と入力端子がそれぞれ接続されている。
【０１００】
この接続関係により、上記同一の最小基準電流信号を複製したものが第２電流複製回路のうちの一つから２個の第１電流複製回路へ入力されると、ここで、上記同一の最小基準電流信号を２倍したものが複製される。この第２電流複製回路から流れ出す電流信号（上記同一の最小基準電流信号を２倍したもの）と、２個の上記第１電流複製回路に吸込まれる最小基準電流信号とが他の第２電流複製回路から流れ出すと、ここで、上記同一の最小基準電流信号を４倍したものが複製される。以下同様に複製することによって、同一の最小基準電流信号を２のべき乗倍したものを基準電流信号の出力用の第２電流複製回路に吸込ませることが可能となる。これにより、ｎ種類の上記基準電流信号をそれぞれ得ることが可能となる。
【０１０１】
カレントミラー回路を構成する薄膜トランジスタ間の閾値電圧や電子移動度などの特性差が大きいときに正確な基準電流信号が得られない従来技術と異なって、上記発明によれば、常に同一の最小基準電流信号が最小基準電流信号発生回路から第１電流複製回路へそれぞれ流れ、上記最小基準電流信号が複製されると共に、上記同一の最小基準電流信号を２のべき乗倍したものを上記ｎ種類の基準電流信号として出力することが可能となる。
【０１０２】
これにより、薄膜トランジスタ間の特性差に起因する制約を受けることなく、常に正確な基準電流信号を生成することが可能となる。それゆえ、電気光学素子において常に所望とする輝度が得られ、所望とする画像を確実に得ることが可能となるという効果を併せて奏する。
【０１０３】
前記第１電流複製回路の前記電流吸込み型電流複製回路は、前記最小基準電流信号をサンプル・ホールドする第１サンプル・ホールド部と、サンプル・ホールドした上記最小基準電流信号を前記出力端子へ吸込む第１出力部とをそれぞれ備え、前記第２電流複製回路の前記電流吐出し型電流複製回路は、入力端子に流れる電流信号をサンプル・ホールドする第２サンプル・ホールド部を備え、前記第２電流複製回路の前記電流吸込み型電流複製回路は、上記の第２サンプル・ホールド部でホールドされた電流信号をサンプル・ホールドする第３サンプル・ホールド部と、サンプル・ホールドした上記電流信号を前記出力端子から吸込む第３出力部とを備えた構成が好ましい。
【０１０４】
前記第１サンプル・ホールド部は、それぞれＰ又はＮチャンネルの第１〜第３ＴＦＴからなり、上記第１、第２、及び第３ＴＦＴは前記最小基準電流信号をサンプルし、第３ＴＦＴはサンプルした上記最小基準電流信号を第１キャパシタを介してホールドし、前記第１出力部は、Ｐ又はＮチャンネルの第３及び第４ＴＦＴからなり、サンプル・ホールドした上記最小基準電流信号を吸込み、前記第２サンプル・ホールド部は、それぞれＰ又はＮチャンネルの第５〜第７ＴＦＴからなり、上記第５、第６、及び第７ＴＦＴは前記入力端子に流れる電流信号をサンプルし、第７ＴＦＴはサンプルした上記電流信号を第２キャパシタを介してホールドし、前記第３サンプル・ホールド部は、それぞれＰ又はＮチャンネルの第８〜第１０ＴＦＴからなり、上記第８、第９、及び第１０ＴＦＴは上記第２キャパシタを介してホールドした電流信号をサンプルし、第１０ＴＦＴはサンプルした上記電流信号を第３キャパシタを介してホールドし、前記第３出力部は、Ｐ又はＮチャンネルの第１０及び第１１ＴＦＴからなり、サンプル・ホールドした上記電流信号を前記出力端子から吸込む構成が好ましい。
【０１０５】
上記の構成のように、第１及び第２電流複製回路をカレントミラー回路構成としないことにより、上記の効果を奏することが可能である。
【０１０６】
本発明に係る更に他のアクティブ駆動型表示装置は、以上のように、最小基準電流信号を発生する最小基準電流信号発生回路と、上記ｎ種類の基準電流信号を出力するようにそれぞれ接続され、上記最小基準電流信号を複製する電流吐出し型電流複製回路からなる２個の第１電流複製回路と、直列に接続された一対の電流吸込み型電流複製回路および電流吐出し型電流複製回路からなる複数の第２電流複製回路とを備え、上記第１電流複製回路の出力端子と上記第２電流複製回路の入力端子とは互いに接続されると共に、上記第２電流複製回路は出力端子と入力端子がそれぞれ接続され、同時に２つの第１電流複製回路から最小基準電流信号が流れないように、上記第１電流複製回路から上記最小基準電流信号を上記最小基準電流信号発生回路へそれぞれ流すと共に、上記第１及び第２電流複製回路から上記ｎ種類の基準電流信号をそれぞれ出力することを特徴としている。
【０１０７】
上記の発明によれば、ｎビットのデジタル画像信号が、信号電極駆動回路内のデジタル信号−電流信号変換回路によって、基準電流発生回路から出力されるｎ種類の基準電流信号に基づいて電流信号に変換され、信号電極駆動回路を介して、このように変換された上記電流信号に基づいて電気光学素子がそれぞれ階調表示される。
【０１０８】
第１電流複製回路は、２個設けられ、それぞれ、電流吐出し型電流複製回路からなり、最小基準電流信号を複製し、これを出力する。第２電流複製回路は、直列に接続された一対の電流吸込み型電流複製回路および電流吐出し型電流複製回路からなり、複数設けられている。第１及び第２電流複製回路は、上記ｎ種類の基準電流信号を出力するようにそれぞれ接続されている。
【０１０９】
上記第１電流複製回路から上記最小基準電流信号が上記最小基準電流信号発生回路へそれぞれ流される。上記第１電流複製回路から最小基準電流信号が上記最小基準電流信号発生回路へそれぞれ流されるが、この際、同時に２つの第１電流複製回路から最小基準電流信号が流れることはない。これにより、常に同一の最小基準電流信号が第１電流複製回路から最小基準電流信号発生回路へ吐出されることになるので、各第１電流複製回路において同一の最小基準電流信号を高精度に複製することが可能となる。
【０１１０】
一方、上記第１電流複製回路の出力端子と上記第２電流複製回路の入力端子とは互いに接続されている。加えて、第２電流複製回路は、出力端子と入力端子がそれぞれ接続されている。
【０１１１】
この接続関係により、上記同一の最小基準電流信号を複製したものが２個の第１電流複製回路から第２電流複製回路のうちの一つへ入力されると、ここで、上記同一の最小基準電流信号を２倍したものが複製される。この第２電流複製回路の出力電流信号（上記同一の最小基準電流信号を２倍したもの）と、２個の上記第１電流複製回路からの最小基準電流信号とを他の第２電流複製回路に入力すると、ここで、上記同一の最小基準電流信号を４倍したものが複製される。以下同様に複製することによって、同一の最小基準電流信号を２のべき乗倍したものを第１及び第２電流複製回路から出力することが可能となる。これにより、ｎ種類の上記基準電流信号をそれぞれ得ることが可能となる。
【０１１２】
カレントミラー回路を構成する薄膜トランジスタ間の閾値電圧や電子移動度などの特性差が大きいときに正確な基準電流信号が得られない従来技術と異なって、上記発明によれば、常に同一の最小基準電流信号が第１電流複製回路から最小基準電流信号発生回路へそれぞれ流れ、上記最小基準電流信号が複製されて出力されると共に、上記同一の最小基準電流信号を２のべき乗倍したものを上記ｎ種類の基準電流信号として出力することが可能となる。
【０１１３】
これにより、薄膜トランジスタ間の特性差に起因する制約を受けることなく、常に正確な基準電流信号を生成することが可能となる。それゆえ、電気光学素子において常に所望とする輝度が得られ、所望とする画像を確実に得ることが可能となるという効果を併せて奏する。
【０１１４】
前記第１電流複製回路の前記電流吐出し型電流複製回路は、前記最小基準電流信号をサンプル・ホールドする第１サンプル・ホールド部と、サンプル・ホールドした上記最小基準電流信号を前記出力端子へ吐出す第１出力部とをそれぞれ備え、前記第２電流複製回路の前記電流吸込み型電流複製回路は、入力端子に流れる電流信号をサンプル・ホールドする第２サンプル・ホールド部を備え、前記第２電流複製回路の前記電流吐出し型電流複製回路は、上記第２サンプル・ホールド部でホールドされた電流信号をサンプル・ホールドする第３サンプル・ホールド部と、サンプル・ホールドした上記電流信号を前記出力端子へ吐出す第３出力部とを備えた構成が好ましい。
【０１１５】
前記第１サンプル・ホールド部は、それぞれＰ又はＮチャンネルの第１〜第３ＴＦＴからなり、上記第１、第２、及び第３ＴＦＴは前記最小基準電流信号をサンプルし、第３ＴＦＴはサンプルした上記最小基準電流信号を第１キャパシタを介してホールドし、前記第１出力部は、Ｐ又はＮチャンネルの第３及び第４ＴＦＴからなり、サンプル・ホールドした上記最小基準電流信号を吐出し、前記第２サンプル・ホールド部は、それぞれＰ又はＮチャンネルの第５〜第７ＴＦＴからなり、上記第５、第６、及び第７ＴＦＴは前記入力端子に流れる電流信号をサンプルし、第７ＴＦＴはサンプルした上記電流信号を第２キャパシタを介してホールドし、前記第３サンプル・ホールド部は、それぞれＰ又はＮチャンネルの第８〜第１０ＴＦＴからなり、上記第８、第９、及び第１０ＴＦＴは上記第２キャパシタを介してホールドした電流信号をサンプルし、第１０ＴＦＴはサンプルした上記電流信号を第３キャパシタを介してホールドし、前記第３出力部は、Ｐ又はＮチャンネルの第１０及び第１１ＴＦＴからなり、サンプル・ホールドした上記電流信号を前記出力端子へ吐出す構成が好ましい。
【０１１６】
上記の構成のように、第１及び第２電流複製回路をカレントミラー回路構成としないことにより、上記の効果を奏することが可能である。
【０１１７】
本発明に係る更に他のアクティブ駆動型表示装置は、以上のように、最小基準電流信号を発生する最小基準電流信号発生回路と、上記ｎ種類の基準電流信号を出力するようにそれぞれ接続され、上記最小基準電流信号を複製する電流吸込み型電流複製回路からなる２個の第１電流複製回路と、直列に接続された一対の電流吐出し型電流複製回路および電流吸込み型電流複製回路からなる複数の第２電流複製回路とを備え、上記第１電流複製回路の出力端子と上記第２電流複製回路の入力端子とは互いに接続されると共に、上記第２電流複製回路は出力端子と入力端子がそれぞれ接続され、同時に２つの第１電流複製回路へ最小基準電流信号が流れないように、上記最小基準電流信号発生回路から上記最小基準電流信号を上記第１電流複製回路へそれぞれ流すと共に、上記第１及び第２電流複製回路が上記ｎ種類の基準電流信号をそれぞれ吸込むことを特徴としている。
【０１１８】
上記の発明によれば、ｎビットのデジタル画像信号が、信号電極駆動回路内のデジタル信号−電流信号変換回路によって、基準電流発生回路から出力されるｎ種類の基準電流信号に基づいて電流信号に変換され、信号電極駆動回路を介して、このように変換された上記電流信号に基づいて電気光学素子がそれぞれ階調表示される。
【０１１９】
第１電流複製回路は、２個設けられ、それぞれ、電流吸込み型電流複製回路からなり、最小基準電流信号を吸込み、これを複製する。第２電流複製回路は、直列に接続された一対の電流吐出し型電流複製回路および電流吸込み型電流複製回路からなり、複数設けられている。第１及び第２電流複製回路は、上記ｎ種類の基準電流信号を出力するようにそれぞれ接続されている。
【０１２０】
上記最小基準電流信号発生回路から上記最小基準電流信号が上記第１電流複製回路へそれぞれ流される。上記最小基準電流信号発生回路から最小基準電流信号が上記第１電流複製回路へそれぞれ流されるが、この際、同時に２つの第１電流複製回路へ最小基準電流信号が流れることはない。これにより、常に同一の最小基準電流信号が最小基準電流信号発生回路から第１電流複製回路へ吐出されることになるので、各第１電流複製回路において同一の最小基準電流信号を高精度に複製することが可能となる。
【０１２１】
一方、上記第１電流複製回路の出力端子と上記第２電流複製回路の入力端子とは互いに接続されている。加えて、第２電流複製回路は、出力端子と入力端子がそれぞれ接続されている。
【０１２２】
この接続関係により、上記同一の最小基準電流信号を複製したものが第２電流複製回路のうちの一つから２個の第１電流複製回路へ入力されると、ここで、上記同一の最小基準電流信号を２倍したものが複製される。この第２電流複製回路から流れ出す電流信号（上記同一の最小基準電流信号を２倍したもの）と、２個の上記第１電流複製回路に吸込まれる最小基準電流信号とが他の第２電流複製回路から流れ出すと、ここで、上記同一の最小基準電流信号を４倍したものが複製される。以下同様に複製することによって、同一の最小基準電流信号を２のべき乗倍したものを第１及び第２電流複製回路に吸込ませることが可能となる。これにより、ｎ種類の上記基準電流信号をそれぞれ得ることが可能となる。
【０１２３】
カレントミラー回路を構成する薄膜トランジスタ間の閾値電圧や電子移動度などの特性差が大きいときに正確な基準電流信号が得られない従来技術と異なって、上記発明によれば、常に同一の最小基準電流信号が最小基準電流信号発生回路から第１電流複製回路へそれぞれ流れ、上記最小基準電流信号が複製されると共に、上記同一の最小基準電流信号を２のべき乗倍したものを上記ｎ種類の基準電流信号として出力することが可能となる。
【０１２４】
これにより、薄膜トランジスタ間の特性差に起因する制約を受けることなく、常に正確な基準電流信号を生成することが可能となる。それゆえ、電気光学素子において常に所望とする輝度が得られ、所望とする画像を確実に得ることが可能となるという効果を併せて奏する。
【０１２５】
前記第１電流複製回路の前記電流吸込み型電流複製回路は、前記最小基準電流信号をサンプル・ホールドする第１サンプル・ホールド部と、サンプル・ホールドした上記最小基準電流信号を前記出力端子へ吸込む第１出力部とをそれぞれ備え、前記第２電流複製回路の前記電流吐出し型電流複製回路は、入力端子に流れる電流信号をサンプル・ホールドする第２サンプル・ホールド部を備え、前記第２電流複製回路の前記電流吸込み型電流複製回路は、上記電流吐出し型電流複製回路の出力部に流れる電流信号をサンプル・ホールドする第３サンプル・ホールド部と、サンプル・ホールドした上記電流信号を前記出力端子へ吸込む第３出力部とを備えていることが好ましい。
【０１２６】
前記第１サンプル・ホールド部は、それぞれＰ又はＮチャンネルの第１〜第３ＴＦＴからなり、上記第１、第２、及び第３ＴＦＴは前記最小基準電流信号をサンプルし、第３ＴＦＴはサンプルした上記最小基準電流信号を第１キャパシタを介してホールドし、前記第１出力部は、Ｐ又はＮチャンネルの第３及び第４ＴＦＴからなり、サンプル・ホールドした上記最小基準電流信号を吸込み、前記第２サンプル・ホールド部は、それぞれＰ又はＮチャンネルの第５〜第７ＴＦＴからなり、上記第５、第６、及び第７ＴＦＴは前記入力端子に流れる電流信号をサンプルし、第７ＴＦＴはサンプルした上記電流信号を第２キャパシタを介してホールドし、前記第３サンプル・ホールド部は、それぞれＰ又はＮチャンネルの第８〜第１０ＴＦＴからなり、上記第８、第９、及び第１０ＴＦＴは上記第２キャパシタを介してホールドした電流信号をサンプルし、第１０ＴＦＴはサンプルした上記電流信号を第３キャパシタを介してホールドし、前記第３出力部は、Ｐ又はＮチャンネルの第１０及び第１１ＴＦＴからなり、サンプル・ホールドした上記電流信号を前記出力端子から吸込む構成が好ましい。
【０１２７】
上記の構成のように、第１及び第２電流複製回路をカレントミラー回路構成としないことにより、上記の効果を奏することが可能である。
【０１２８】
本願発明に係るアクティブ駆動型表示装置は、次の構成であってもよく、その場合でも上記と同様の効果をそれぞれ奏する。
【０１２９】
すなわち、本願発明に係る更に他のアクティブ駆動型表示装置は、以上のように、最小の基準となる電流信号を複製する電流吐出し型電流複製回路を最小単位として複数個の電流吐出し型電流複製回路を並列接続して所望とする基準電流信号を発生し基準となる電流信号を複数発生可能な電流吐出し型基準電流発生回路を備え、その複数の基準電流信号を信号電極駆動回路のデジタル信号−電流信号変換回路へ接続することを特徴としていてもよい。
【０１３０】
本願発明に係る更に他のアクティブ駆動型表示装置は、以上のように、最小の基準となる電流信号を複製する電流吸込み型電流複製回路を最小単位として複数個の電流吸込み型電流複製回路を並列接続して所望とする基準電流信号を発生し基準となる電流信号を複数発生可能な電流吸込み型基準電流発生回路を備え、その複数の基準電流信号を信号電極駆動回路のデジタル信号−電流信号変換回路へ接続することを特徴としていてもよい。
【０１３１】
本願発明に係る更に他のアクティブ駆動型表示装置は、以上のように、最小の基準となる電流信号を複製する複数の電流吐出し型電流複製回路とさらに電流吸込み型電流複製回路と電流吐出し型電流複製回路と一対で構成した複数の電流吐出し型電流複製回路により最小の基準となる電流信号の倍倍の電流信号を発生し、その発生した各倍電流信号を保持するための電流吐出し型電流複製回路より構成された基準電流発生回路を備え、その基準電流信号を信号電極駆動回路のデジタル信号−電流信号変換回路へ接続することを特徴としていてもよい。
【０１３２】
本願発明に係る更に他のアクティブ駆動型表示装置は、以上のように、最小の基準となる電流信号を複製する複数の電流吸込み型電流複製回路とさらに電流吐出し型電流複製回路と電流吸込み型電流複製回路と一対で構成した複数の電流吸込み型電流複製回路により最小の基準となる電流信号の倍倍の電流信号を発生し、その発生した各倍電流信号を保持するための電流吸込み型電流複製回路より構成された基準電流発生回路を備え、その基準電流信号を信号電極駆動回路のデジタル信号−電流信号変換回路へ接続することを特徴としていてもよい。
【０１３３】
本願発明に係る更に他のアクティブ駆動型表示装置は、以上のように、最小の基準となる電流信号を複製する複数の電流吐出し型電流複製回路とさらに電流吸込み型電流複製回路と電流吐出し型電流複製回路と一対で構成した複数の電流吐出し型電流複製回路により最小の基準となる電流信号の倍倍の電流を複製し、各電流吐出し型電流複製回路の出力を全て接続し、その出力は信号電極駆動回路のデジタル信号−電流信号変換回路へ接続することを特徴としていてもよい。
【０１３４】
本願発明に係る更に他のアクティブ駆動型表示装置は、以上のように、最小の基準となる電流信号を複製する複数の電流吸込み型電流複製回路とさらに電流吐出し型電流複製回路と電流吸込み型電流複製回路と一対で構成した複数の電流吸込み型電流複製回路により最小の基準となる電流信号の倍倍の電流を複製し、各電流吸込み型電流複製回路の出力を全て接続し、その出力は信号電極駆動回路のデジタル信号−電流信号変換回路へ接続することを特徴としていてもよい。
【０１３５】
上記記載のいずれか一つのアクティブ駆動型表示装置においては、以上のように、前記電気光学素子が有機ＥＬ素子であることが好ましい。
【発明を実施するための最良の形態】
【０１３６】
本発明の一実施形態について図１及び図２（ａ）（ｂ）に基づいて説明すると以下のとおりである。なお、以下においては、アクティブ駆動型表示装置としてアクティブ駆動型有機ＥＬ表示装置を例にとって説明を行うが、本発明はこのような例に限定されるものではない。
【０１３７】
図１及び図２は、本実施の形態に係るポリシリコンＴＦＴ技術を用いて形成したＴＦＴにより構成された基準電流発生回路である。この基準電流発生回路は、図１に示すように、電流吸込み型最小基準電流信号発生回路３０９と、電流吐出し型電流複製回路４００とから主として構成されている。
【０１３８】
電流吸込み型最小基準電流信号発生回路３０９において、参照番号３００は定電圧回路であり、一定の電圧を出力する。参照番号３０１はオペアンプなどの演算増幅器であり、定電圧回路３００からの出力電圧を基準にして、基準抵抗３０３に発生する電圧が等しくなるように、制御用Ｎチャンネルトランジスタ３０２のゲートに信号電圧を与える。基準抵抗３０３は、制御用Ｎチャンネルトランジスタ３０２のソース側に、基準電圧入力端子ＶＲＥＦを介して接続される。
【０１３９】
電流吸込み型最小基準電流信号発生回路３０９の制御用Ｎチャンネルトランジスタ３０２は、前記定電圧回路３００からの出力電圧と基準抵抗３０３に基づいて定電流である最小基準電流信号Ｉｓを流す。
【０１４０】
制御用Ｎチャンネルトランジスタ３０２のドレインには、６ｂｉｔ用の電流吐出し型電流複製回路４００に接続されている。この電流吐出し型電流複製回路４００は、複数の電流吐出し型電流複製回路４０１〜４６３から構成されている。電流吐出し型電流複製回路４０１〜４６３個々の詳細を図２（ａ）に示す。また、図２（ｂ）は、図２（ａ）での制御信号と詳細な回路を省略し、入力の電流信号と出力の電流信号を示したモデル図である。なお、本発明は６ビットに係るものに限定されるものではない。
【０１４１】
図２（ａ）に示すように、電流吐出し型電流複製回路４０１〜４６３は、それぞれ、ＰチャンネルＴＦＴ３９１〜３９４と、キャパシタ３９５とから主として構成されている。ＰチャンネルＴＦＴ３９１においては、ドレインが入力電流信号の入力端子Ｉｉｎに接続され、ゲートがＰチャンネルＴＦＴ３９２のゲートとともに制御端子ＳＳ１（制御信号ＳＳ１を入力する端子）に接続され、ソースがＰチャンネルＴＦＴ３９２のドレインとＰチャンネルＴＦＴ３９３のドレインとＰチャンネルＴＦＴ３９４のソースに接続されている。
【０１４２】
ＰチャンネルＴＦＴ３９２のソースはＰチャンネルＴＦＴ３９３のゲートとキャパシタ３９５に接続されている。ＰチャンネルＴＦＴ３９３のソースは電源Ｖｃｃに接続されており、ＰチャンネルＴＦＴ３９４のゲートは制御端子ＯＳ１（制御信号ＯＳ１が入力される端子）に接続され、ドレインは電流信号を出力する出力端子Ｉｏｕｔに接続されている。
【０１４３】
図２（ａ）は、図１５のＮチャンネルＴＦＴがＰチャンネルＴＦＴに、電源がＧＮＤからＶｃｃに、制御信号名がＳＳ１とＯＳ１に変わっている以外は基本的に動作は図１５の回路と同じである。
【０１４４】
制御信号ＳＳ１を“Ｌ”（ローレベル）に制御信号ＯＳ１を“Ｈ”（ハイレベル）にすることによって、ＰチャンネルＴＦＴ３９１・３９２がオンになり、ＰチャンネルＴＦＴ３９４がオフになる。このとき、ＰチャンネルＴＦＴ３９１のドレイン端子である入力端子Ｉｉｎから最小基準電流信号Ｉｓが流れ出すと、ＰチャンネルＴＦＴ３９３のゲートには、この最小基準電流信号ＩｓをＰチャンネルＴＦＴ３９３が流すために必要な電圧が発生する（サンプル動作）。この電圧はキャパシタ３９５に保持される（ホールド動作）。
【０１４５】
その後、制御信号ＳＳ１を“Ｈ”にすることによって、ＰチャンネルＴＦＴ３９１・３９２はオフになる。その後、制御信号ＯＳ１を“Ｈ”から“Ｌ”にすることでＰチャンネルＴＦＴ３９３のドレイン側より上記最小基準電流信号Ｉｓと同一値の基準電流信号Ｉｓが複製されて出力される。
【０１４６】
つまり、電流吐出し型電流複製回路４０１〜４６３は、それぞれ、入力端子Ｉｉｎに流れる電流信号をサンプル・ホールドし、出力端子Ｉｏｕｔより電流信号を複製して出力する、電流吐出し型の電流複製回路を構成している。図２（ａ）で示す回路を最小単位として、図１では６３個の電流吐出し型電流複製回路４０１〜４６３を使用しており、図２（ｂ）で示したモデル図を用いて描いている。
【０１４７】
電流吐出し型電流複製回路４０１は、制御用Ｎチャンネルトランジスタ３０２のドレイン−ソース間で流れる最小基準電流信号Ｉｓをサンプル・ホールドし、最小基準電流信号Ｉｓを複製して出力する。
【０１４８】
電流吐出し型電流複製回路４０２・４０３は出力部（出力端子）が互いに接続されており、各々の回路で上記最小基準電流信号Ｉｓをそれぞれサンプル・ホールドし、最小基準電流信号Ｉｓの２倍の電流信号を複製して出力する。
【０１４９】
電流吐出し型電流複製回路４０４〜４０７は出力部（出力端子）が互いに接続されており、各々の回路で最小基準電流信号Ｉｓをサンプル・ホールドし、最小基準電流信号Ｉｓの４倍の電流信号Ｉｓ×４を複製して出力する。
【０１５０】
電流吐出し型電流複製回路４０８〜４１５は出力部（出力端子）が互いに接続されており、各々の回路で最小基準電流信号Ｉｓをサンプル・ホールドし、最小基準電流信号Ｉｓの８倍の電流信号Ｉｓ×８を複製して出力する。
【０１５１】
電流吐出し型電流複製回路４１６〜４３１は出力部（出力端子）が互いに接続されており、各々の回路で最小基準電流信号Ｉｓをサンプル・ホールドし、最小基準電流信号Ｉｓの１６倍の電流信号Ｉｓ×１６を複製して出力する。
【０１５２】
電流吐出し型電流複製回路４３２〜４６３は出力部が（出力端子）接続されており、各々の回路で最小基準電流信号Ｉｓをサンプル・ホールドし、最小基準電流信号Ｉｓの３２倍の電流信号Ｉｓ×３２を複製して出力する。
【０１５３】
尚、電流吐出し型電流複製回路４０１〜４６３は、同時に２個以上が最小基準電流信号Ｉｓをサンプル・ホールドできないので、例えば、４０１から４６３へ順にサンプル・ホールドしていく。よって、制御信号ＳＳ１は電流吐出し型電流複製回路４０１〜４６３ではそれぞれ異なった制御信号となる。
【０１５４】
また、従来型のカレントミラー回路では、カレントミラーを構成する２個のトランジスタの特性が一致しないと入力側の電流と出力側の電流（上記２個のトランジスタを流れる電流）が一致しないが、本発明に係る６ｂｉｔ用の電流吐出し型電流複製回路４００では、最小単位の電流複製回路、例えば図２（ａ）ではＰチャンネルトランジスタ３９３という１個のトランジスタで最小基準電流信号を複製するので、上記従来型と比較して電流複製精度が著しく向上する。これにより、２のべき乗倍である、１倍、２倍、４倍、８倍、１６倍、及び３２倍の最小基準電流信号（基準電流信号）がそれぞれ精度よく得られ、これらに基づいて６ｂｉｔのデータ信号が電流信号へ変換されるので、信号電極駆動回路に対して６種類の基準電流を高精度に出力することが可能である。
【０１５５】
本実施の形態に係るアクティブ駆動型表示装置は、以上のように、最小基準電流信号Ｉｓを発生する電流吸込み型最小基準電流信号発生回路３０９と、上記最小基準電流信号Ｉｓを複製し、上記基準電流信号を出力するための複数の電流吐出し型電流複製回路４０１〜４６３とを備え、サンプリング動作時には同時に２つ以上の電流吐出し型電流複製回路から最小基準電流信号Ｉｓが流れないと共に、出力動作時には上記電流吐出し型電流複製回路４０１〜４６３は同時又は順次に出力動作することで上記６種類の基準電流信号を得る構成を有している。
【０１５６】
上記の構成によれば、６ビットのデジタル画像信号が、ＤＣＣ２０５（図１３参照）によって、基準電流発生回路から出力される６種類の基準電流信号に基づいて電流信号に変換され、信号電極駆動回路（図示しない）を介して、このように変換された上記電流信号に基づいて電気光学素子がそれぞれ階調表示される。
【０１５７】
電流吐出し型電流複製回路４０１〜４６３は、上記６種類の基準電流信号（Ｉｓ〜Ｉｓ×３２）が基準電流発生回路から出力されるようにそれぞれ接続されており、各複製回路４０１〜４６３は、上記最小基準電流信号Ｉｓを複製し、複製した最小基準電流信号Ｉｓを出力する。各複製回路４０１〜４６３が上記のように接続されているので、複製した最小基準電流信号が各電流吐出し型電流複製回路４０１〜４６３から出力されることによって、全体として、上記６種類の基準電流信号（Ｉｓ〜Ｉｓ×３２）が得られることになる。
【０１５８】
上記複製の際、上記電流吐出し型電流複製回路４０１〜４６３から最小基準電流信号Ｉｓが上記最小基準電流信号発生回路３０９へそれぞれ流される。このとき、同時に２つ以上の電流吐出し型電流複製回路から最小基準電流信号Ｉｓが流れることはないので、常に同一の最小基準電流信号Ｉｓが電流吐出し型電流複製回路４０１〜４６３から最小基準電流信号発生回路３０９へ吐出されることになり、これにより、各複製回路４０１〜４６３において同一の最小基準電流信号Ｉｓを高精度に複製することが可能となる。
【０１５９】
カレントミラー回路を構成する薄膜トランジスタ間の閾値電圧や電子移動度などの特性差が大きいときに正確な基準電流信号が得られない従来技術と異なって、上記構成によれば、常に同一の最小基準電流信号Ｉｓが電流吐出し型電流複製回路４０１〜４６３から上記の最小基準電流信号発生回路３０９へそれぞれ流れ、電流吐出し型電流複製回路４０１〜４６３から上記最小基準電流信号Ｉｓが複製されて出力される。
【０１６０】
これにより、薄膜トランジスタ間の特性差に起因する制約を受けることなく、常に正確な基準電流信号を生成することが可能となる。それゆえ、電気光学素子において常に所望とする輝度が得られ、所望とする画像を確実に得ることが可能となる。
【０１６１】
尚、上記説明では、電流吐出し型電流複製回路４０１〜４６３の最小単位として全てＰチャンネルのＴＦＴで構成した図２（ａ）の回路を採用した場合を説明したが、本発明はこれに限定されるものではなく、同様の動作をする限り、１部もしくは全てＮチャンネルのＴＦＴで構成してもよい。
【０１６２】
また、信号電極駆動回路の６ｂｉｔＤＣＣ回路が図１４のように電流吸込み型回路の場合、図２（ａ）のような電流吐出し型の電流複製回路となるが、６ｂｉｔＤＣＣ回路が電流吐出し型回路の場合、図３、図４（ａ）、及び図４（ｂ）で示すようになる。なお、図３、図４（ａ）、及び図４（ｂ）において、図１、図２（ａ）、及び図２（ｂ）と同一の機能を有する部材について同一の参照番号を付記し、詳細な説明を省略する。
【０１６３】
図４（ａ）において、制御信号ＳＳ１を“Ｈ”（ハイレベル）に制御信号ＯＳ１を“Ｌ”（ローレベル）にすることによって、ＮチャンネルＴＦＴ３９１・３９２がオンになり、ＮチャンネルＴＦＴ３９４がオフになる。このとき、ＮチャンネルＴＦＴ３９１のドレイン端子である入力端子Ｉｉｎに最小基準電流信号Ｉｓが入力されると、ＮチャンネルＴＦＴ３９３のゲートには、この最小基準電流信号ＩｓをＮチャンネルＴＦＴ３９３が流すために必要な電圧が発生する（サンプル動作）。この電圧はキャパシタ３９５に保持される（ホールド動作）。
【０１６４】
その後、制御信号ＳＳ１を“Ｌ”にすることによって、ＮチャンネルＴＦＴ３９１・３９２はオフになる。その後、制御信号ＯＳ１を“Ｌ”から“Ｈ”にすることでＮチャンネルＴＦＴ３９３のドレイン側より上記最小基準電流信号Ｉｓと同一値の基準電流信号Ｉｓが吸込まれて複製される。
【０１６５】
つまり、入力端子Ｉｉｎからの最小基準電流信号をサンプル・ホールドし、出力端子Ｉｏｕｔより最小基準電流信号Ｉｓと同じ電流信号を吸込む、電流吸込み型の電流複製回路を構成している。図４（ａ）で示す回路を最小単位として、図３では６３個の電流吸込み型電流複製回路４０１〜４６３を使用しており、図４（ｂ）で示したモデル図を用いて描いている。
【０１６６】
電流吸込み型電流複製回路４０１は、制御用Ｐチャンネルトランジスタ３０２のドレイン−ソース間で流れる最小基準電流信号Ｉｓをサンプル・ホールドし（複製し）、最小基準電流信号Ｉｓを吸込む。
【０１６７】
電流吸込み型電流複製回路４０２・４０３は出力部（出力端子）が互いに接続されており、各々の回路で上記最小基準電流信号Ｉｓをそれぞれサンプル・ホールドし、最小基準電流信号Ｉｓの２倍の電流信号を吸込み複製する。
【０１６８】
電流吸込み型電流複製回路４０４〜４０７は出力部（出力端子）が互いに接続されており、各々の回路で最小基準電流信号Ｉｓをサンプル・ホールドし、最小基準電流信号Ｉｓの４倍の電流信号Ｉｓ×４を吸込み複製する。
【０１６９】
電流吸込み型電流複製回路４０８〜４１５は出力部（出力端子）が互いに接続されており、各々の回路で最小基準電流信号Ｉｓをサンプル・ホールドし、最小基準電流信号Ｉｓの８倍の電流信号Ｉｓ×８を吸込み複製する。
【０１７０】
電流吸込み型電流複製回路４１６〜４３１は出力部（出力端子）が互いに接続されており、各々の回路で最小基準電流信号Ｉｓをサンプル・ホールドし、最小基準電流信号Ｉｓの１６倍の電流信号Ｉｓ×１６を吸込み複製する。
【０１７１】
電流吸込み型電流複製回路４３２〜４６３は出力部が（出力端子）接続されており、各々の回路で最小基準電流信号Ｉｓをサンプル・ホールドし、最小基準電流信号Ｉｓの３２倍の電流信号Ｉｓ×３２を吸込み複製する。
【０１７２】
尚、図３に示す電流吸込み型電流複製回路４０１〜４６３は、同時に最小基準電流信号Ｉｓをサンプル・ホールドできないので、例えば、４０１から４６３へ順にサンプル・ホールドしていく。よって、制御信号ＳＳ１は電流吸込み型電流複製回路４０１〜４６３では異なった制御信号となる。
【０１７３】
図３に示す６ｂｉｔ用の電流吸込み型電流複製回路４００では、電流（最小基準電流信号）を複製するトランジスタがカレントミラー型の従来回路と異なり１個のため、従来型と比較して著しく電流複製精度がよい図４（ａ）で示される回路を最小単位としている。これにより、２のべき乗倍である、１倍、２倍、４倍、８倍、１６倍、及び３２倍の最小基準電流信号が精度よく得られ、これらに基づいて６ｂｉｔのデータ信号が電流信号へ変換されるので、信号電極駆動回路に対して６種類の基準電流を高精度に発生することが可能である。
【０１７４】
本実施の形態に係るアクティブ駆動型表示装置は、以上のように、最小基準電流信号Ｉｓを発生する最小基準電流信号発生回路３０９と、上記最小基準電流信号Ｉｓを複製し、上記ｎ種類の基準電流信号を吸込むように接続された複数の電流吸込み型電流複製回路４０１〜４６３とを備え、同時に２つ以上の電流吸込み型電流複製回路が最小基準電流信号Ｉｓを吸込まないように、上記最小基準電流信号発生回路３０９から上記最小基準電流信号Ｉｓを上記電流吸込み型電流複製回路４０１〜４６３へそれぞれ流して複製し、上記電流吸込み型電流複製回路４０１〜４６３へ複製された最小基準電流信号Ｉｓが吸込まれて、上記６種類の基準電流信号を得る構成を有している。
【０１７５】
上記の構成によれば、６ビットのデジタル画像信号が、ＤＣＣ２０５（図１３参照）によって、基準電流発生回路から出力される６種類の基準電流信号に基づいて電流信号に変換され、信号電極駆動回路（図示しない）を介して、このように変換された上記電流信号に基づいて電気光学素子がそれぞれ階調表示される。
【０１７６】
電流吸込み型電流複製回路４０１〜４６３は、上記６種類の基準電流信号（Ｉｓ〜３２×Ｉｓ）が吸込まれるようにそれぞれ接続されており、各複製回路４０１〜４６３は、最小最小基準電流信号Ｉｓを複製し、複製した最小基準電流信号Ｉｓを吸込む。各複製回路４０１〜４６３が上記のように接続されているので、複製した最小基準電流信号Ｉｓが各電流吸込み型電流複製回路４０１〜４６３に流れることによって、全体として、上記６種類の基準電流信号が得られることになる。
【０１７７】
上記複製の際、上記電流吸込み型電流複製回路４０１〜４６３へ最小基準電流信号Ｉｓが上記最小基準電流信号発生回路３０９からそれぞれ流される。このとき、同時に２つ以上の電流吸込み型電流複製回路へ最小基準電流信号Ｉｓが流れることはないので、常に同一の最小基準電流信号Ｉｓが最小基準電流信号発生回路３０９から電流吸込み型電流複製回路４０１〜４６３へ吸込まれることになり、これにより、各複製回路４０１〜４６３において同一の最小基準電流信号Ｉｓを高精度に複製することが可能となる。
【０１７８】
カレントミラー回路を構成する薄膜トランジスタ間の閾値電圧や電子移動度などの特性差が大きいときに正確な基準電流信号が得られない従来技術と異なって、上記構成によれば、常に同一の最小基準電流信号Ｉｓが最小基準電流信号発生回路３０９から電流吸込み型電流複製回路４０１〜４６３へそれぞれ流れ、電流吸込み型電流複製回路４０１〜４６３において上記最小基準電流信号Ｉｓが吸込まれて複製される。
【０１７９】
これにより、薄膜トランジスタ間の特性差に起因する制約を受けることなく、常に正確な基準電流信号を生成することが可能となる。それゆえ、電気光学素子において常に所望とする輝度が得られ、所望とする画像を確実に得ることが可能となる。
【０１８０】
尚、上記説明では、電流吸込み型電流複製回路４０１〜４６３の最小単位として全てＮチャンネルのＴＦＴで構成した図４（ａ）の回路を採用した場合を説明したが、本発明はこれに限定されるものではなく、同様の動作をする限り、１部もしくは全てＰチャンネルのＴＦＴで構成してもよい。
【０１８１】
以上のように、動作については図１と図２（ａ）、及び図２（ｂ）で示される構成の動作と電流の流れる方向が逆になる。また、ここでは、電流吸込み型または電流吐出し型電流複製回路として４個のＴＦＴを用いているが、電流を複製するためのトランジスタがカレントミラー型の回路のように２個ではなく１個で構成されているものであればよく、他のスイッチ等のＴＦＴが追加されたり削除されたり、信号電極や電源ラインを追加しても電流複製機能が働いていれば問題はない。
【０１８２】
図５は、本発明の更に他の実施形態に係るポリシリコンＴＦＴ技術を用いて形成したＴＦＴにより構成された基準電流発生回路例を示す。なお、電流吸込み型最小基準電流信号発生回路３０９は図１と同じため説明を省略する。
【０１８３】
電流信号複製回路Ａ１０・Ａ２０において、入力端子Ｉ１ｉｎはＮチャンネルトランジスタ３０２のドレインと接続されており、出力端子Ｉ１ｏｕｔは共通線で接続されている。Ｎチャンネルトランジスタ３０２のソース−ドレイン間を流れる最小基準電流信号Ｉｓをサンプリング・ホールドした後、最小基準電流信号Ｉｓを複製して出力する。
【０１８４】
電流信号複製回路Ｂ３０、Ｂ６０、Ｂ７０、及びＢ８０においては、入力端子Ｉ２ｉｎ、Ｉ４ｉｎ、Ｉ８ｉｎ、Ｉ１６ｉｎと、電流信号出力端子Ｉ２ｏｕｔ、Ｉ４ｏｕｔ、Ｉ８ｏｕｔ、Ｉ１６ｏｕｔとが電流信号複製回路Ａ１０・Ａ２０の出力端子Ｉ１ｏｕｔと共通に接続されている。
【０１８５】
電流信号複製回路Ｂ９０〜Ｂ１４０においては、入力端子Ｉ１ｉｎ、Ｉ２ｉｎ、Ｉ４ｉｎ、Ｉ１８ｉｎ、Ｉ１６ｉｎ、Ｉ３２ｉｎが前記の共通線に接続されており、出力端子Ｉ１ｏｕｔ、Ｉ２ｏｕｔ、Ｉ４ｏｕｔ、Ｉ８ｏｕｔ、Ｉ１６ｏｕｔ、Ｉ３２ｏｕｔからは信号電極駆動回路に対して基準電流信号を発生する。
【０１８６】
ここで、図５の回路の動作について、図６及び図７を参照しながら説明すると以下のとおりである。
【０１８７】
図６は、図５の電流信号複製回路Ａ１０、Ａ２０、及びＢ３０の回路を詳細に示したものである。電流信号複製回路Ａ１０は、図２（ａ）の回路構成と同じで、電流信号を入力する入力端子Ｉ１ｉｎは制御用Ｎチャンネルトランジスタ３０２のドレインに接続されており、制御信号ＳＳ１と制御信号ＯＳ１によって制御される。
【０１８８】
電流信号複製回路Ａ２０は電流信号複製回路Ａ１０と同じ構成を有しており、制御信号ＳＳ２と制御信号ＯＳ２の信号によって制御され、電流信号複製回路Ａ１０の回路に入力と出力がそれぞれ互いに電気的に並列に接続されている。
【０１８９】
電流信号複製回路Ｂ３０は、電流吐出し型電流信号複製回路５０と電流吸込み型電流信号複製回路４０とから構成されている。電流吐出し型電流信号複製回路５０は、電流信号複製回路Ａ１０と同じ電流吐出し型電流信号複製回路であり、制御信号ＴＳ３と制御信号ＯＳ３の信号によって制御される。電流吸込み型電流信号複製回路４０は、電流吐出し型電流信号複製回路５０や電流信号複製回路Ａ１０と極性が逆で出力の制御トランジスタのない構成の電流吸い込み型電流複製回路であり、制御信号ＳＳ３によって制御される。
【０１９０】
電流信号複製回路Ａ１０において、制御信号ＳＳ１信号を“Ｌ”にし、制御信号ＯＳ１を“Ｈ”にすることによって、電流吸込み型最小基準電流信号発生回路３０９からの最小基準電流信号Ｉｓを電流信号複製回路Ａ１０内に複製し、制御信号ＳＳ１を“Ｈ”にする。その後、電流信号複製回路Ａ２０において、制御信号ＳＳ２を“Ｌ”にし、制御信号ＯＳ２を“Ｈ”にすることによって電流吸込み型最小基準電流信号発生回路３０９からの最小基準電流信号Ｉｓを電流信号複製回路Ａ２０内に複製し、制御信号ＳＳ２を“Ｈ”にする。
【０１９１】
その後、制御信号ＯＳ１と制御信号ＯＳ２をそれぞれ“Ｌ”にすることによって、電流信号複製回路Ａ１０から最小基準電流信号Ｉｓが出力されると共に、電流信号複製回路Ａ２０からも最小基準電流信号Ｉｓが出力される。これと同時に、電流吸込み型電流信号複製回路４０の制御信号ＳＳ３を“Ｈ”にすることで電流信号複製回路Ａ１０及びＡ２０より出力された電流信号（最小基準電流信号Ｉｓ×２）を電流吸込み型電流信号複製回路４０内に複製し、制御信号ＯＳ１及びＯＳ２を“Ｈ”にすると共に、制御信号ＳＳ３を“Ｌ”にする。
【０１９２】
その後、電流吐出し型電流信号複製回路５０において、制御信号ＴＳ３を“Ｌ”にすることによって、電流吸込み型電流信号複製回路４０において複製された電流信号を電流吐出し型電流信号複製回路５０において複製し、制御信号ＴＳ３を“Ｈ”にする。それから、制御信号ＯＳ１、ＯＳ２、及びＯＳ３を同時に“Ｌ”にすることによって、電流信号複製回路Ａ１０とＡ２０からは最小基準電流信号Ｉｓが出力され、電流信号複製回路Ｂ３０からは最小基準電流信号Ｉｓ×２の電流信号が出力される。その結果、共通線に最小基準電流信号Ｉｓ×４が流れ、この信号を更に複製していく。
【０１９３】
このように最小基準電流信号を順次複製していく動作タイミングを図７に示す。図７において、縦方向は制御信号を示し、横方向は時間を示している。この駆動タイミングにおいて「○」印はその制御信号に接続されるトランジスタがオン動作していることを示し、空欄はオフ動作を示し、「△」印はオンでもオフでもよいことを示している。上述の動作は時間１〜時間５までの動作を示している。
【０１９４】
ここで、図７を用いて図５の回路の動作を説明していく。時間５では電流信号複製回路Ａ１０及びＡ２０から最小基準電流信号Ｉｓが、電流信号複製回路Ｂ３０から最小基準電流信号Ｉｓ×２が出力され、制御信号ＳＳ４がアクティブになることで電流信号複製回路Ｂ６０内に最小基準電流信号Ｉｓ×４の電流信号が複製される。
【０１９５】
時間６では電流信号複製回路Ｂ６０内の電流吸い込み型回路（図示しない）から電流吐出し型回路（図示しない）に電流信号を複製し、時間７で電流信号複製回路Ｂ７０に最小基準電流信号Ｉｓ×８の電流信号が複製される。
【０１９６】
さらに、時間８では電流信号複製回路Ｂ６０内の電流吸い込み型回路（図示しない）から電流吐出し型回路（図示しない）に電流信号を複製し、時間９で回路８０に最小基準電流信号Ｉｓ×１６の電流信号が複製される。
【０１９７】
時間１０で電流信号複製回路Ｂ８０内の電流吸い込み型回路（図示しない）から電流吐出し型回路（図示しない）に電流信号を複製する。時間１１では電流信号複製回路Ａ１０から最小基準電流信号Ｉｓが出力され電流信号複製回路Ｂ９０に複製される。
【０１９８】
時間１２では電流信号複製回路Ｂ９０内の電流吸い込み型回路（図示しない）から電流吐出し型回路（図示しない）に電流信号を複製する。時間１３では電流信号複製回路Ａ１０・２０から最小基準電流信号Ｉｓが出力され電流信号複製回路Ｂ１００に最小基準電流信号Ｉｓ×２が複製される。
【０１９９】
時間１４では電流信号複製回路Ｂ１００内の電流吸い込み型回路（図示しない）から電流吐出し型回路（図示しない）に電流信号を複製する。時間１５では電流信号複製回路Ａ１０・２０から最小基準電流信号Ｉｓが出力され、電流信号複製回路Ｂ３０から最小基準電流信号Ｉｓ×２が出力され、電流信号複製回路Ｂ１１０に最小基準電流信号Ｉｓ×４が複製される。
【０２００】
時間１６では電流信号複製回路Ｂ１１０内の電流吸い込み型回路（図示しない）から電流吐出し型回路（図示しない）に電流信号を複製する。時間１７では電流信号複製回路Ａ１０・２０から最小基準電流信号Ｉｓが出力され、電流信号複製回路Ｂ３０から最小基準電流信号Ｉｓ×２が出力され、電流信号複製回路Ｂ６０から最小基準電流信号Ｉｓ×４が出力され、電流信号複製回路Ｂ１２０に最小基準電流信号電流信号Ｉｓ×８が複製される。
【０２０１】
時間１８では電流信号複製回路Ｂ１２０内の電流吸い込み型回路（図示しない）から電流吐出し型回路（図示しない）に電流信号を複製する。時間１９では電流信号複製回路Ａ１０・２０から最小基準電流信号Ｉｓが出力され、電流信号複製回路Ｂ３０から最小基準電流信号Ｉｓ×２が出力され、電流信号複製回路Ｂ６０から最小基準電流信号Ｉｓ×４が出力され、電流信号複製回路Ｂ７０から最小基準電流信号Ｉｓ×８が出力され、電流信号複製回路Ｂ１３０に最小基準電流信号Ｉｓ×１６が複製される。
【０２０２】
時間２０では電流信号複製回路Ｂ１３０内の電流吸い込み型回路（図示しない）から電流吐出し型回路（図示しない）に電流信号を複製する。
【０２０３】
時間２１では電流信号複製回路Ａ１０・２０から最小基準電流信号Ｉｓが出力され、電流信号複製回路Ｂ３０から最小基準電流信号Ｉｓ×２が出力され、電流信号複製回路Ｂ６０から最小基準電流信号Ｉｓ×４が出力され、電流信号複製回路Ｂ７０から最小基準電流信号Ｉｓ×８が出力され、電流信号複製回路Ｂ１３０から最小基準電流信号Ｉｓ×１６が出力され、電流信号複製回路Ｂ１４０に最小基準電流信号Ｉｓ×３２が複製される。時間２２では電流信号複製回路Ｂ１４０内の電流吸い込み型回路（図示しない）から電流吐出し型回路（図示しない）に電流信号を複製する。
【０２０４】
このようにして、信号電極駆動回路へ供給する６種類の基準電流信号が準備できる。時間２３で信号電極駆動回路内の１ライン目のＤＣＣ回路に６種類の基準電流を出力しＤＣＣ回路は電流信号を複製し、時間２４で２ライン目、時間２５で３ライン目、時間ＫでＮライン目と各ＤＣＣ回路内へ順次基準電流を複製していく。尚、時間２３から時間Ｋまでの間では時間１〜１０で行った動作を同時に繰り返し行ってもさしつかえない。
【０２０５】
なお、図７は、電流信号複製回路Ｂ９０〜Ｂ１４０が同時に出力する場合を説明しているが、本発明は、これに限定されるものではなく、例えば、電流信号複製回路Ｂ９０〜Ｂ１４０が順次出力する構成でもよい。
【０２０６】
このように、多結晶Ｓｉ薄膜で構成した回路では、カレントミラー回路より精度のよい電流複製回路により最小基準電流信号の２倍、４倍、８倍、１６倍、３２倍と倍倍の電流信号を複製することで、信号電極駆動回路に対し複製した電流信号を６ｂｉｔ並列に伝送していくことで、精度のよい基準電流発生回路が提供できる。
【０２０７】
尚、上記説明では、電流吐出し型電流複製回路の最小単位として全てＰチャンネルのＴＦＴで構成し、電流吸込み型電流複製回路として全てＮチャンネルで構成したが、電流吐出し型としてもしくは電流吸込み型として電流信号を複製する機能があれば、ＮチャンネルやＰチャンネルの極性に制限はない。
【０２０８】
本実施の形態に係るアクティブ駆動型表示装置は、以上のように、最小基準電流信号Ｉｓを発生する最小基準電流信号発生回路３０９と、６種類の基準電流信号（Ｉｓ〜３２×Ｉｓ）を出力するようにそれぞれ接続され、上記最小基準電流信号Ｉｓを複製する電流吐出し型電流複製回路からなる２個の第１電流信号複製回路（Ａ１０・Ａ２０）と、直列に接続された一対の電流吸込み型電流複製回路４０および電流吐出し型電流複製回路５０からなる複数の第２電流信号複製回路（Ｂ３０、及びＢ６０〜Ｂ１４０）とを備え、上記第１電流信号複製回路の出力端子Ｉ１ｏｕｔと上記第２電流信号複製回路の入力端子（Ｉ１ｉｎ、Ｉ２ｉｎ、Ｉ４ｉｎ、Ｉ８ｉｎ、Ｉ１６ｉｎ、及びＩ３２ｉｎ）とは互いに接続されると共に、上記６種類の基準電流信号の出力用以外の第２の電流信号複製回路Ｂ６０〜Ｂ８０は出力端子と入力端子がそれぞれ接続され、同時に２つの第１の電流信号複製回路から最小基準電流信号Ｉｓが流れないように、上記第１の電流信号複製回路から上記最小基準電流信号Ｉｓを上記最小基準電流信号発生回路３０９へそれぞれ流すと共に、上記出力用の第２の電流信号複製回路Ｂ９０〜Ｂ１４０から上記６種類の基準電流信号をそれぞれ出力する構成を有している。
【０２０９】
上記の構成によれば、６ビットのデジタル画像信号が、信号電極駆動回路内のデジタル信号−電流信号変換回路によって、基準電流発生回路から出力される６種類の基準電流信号に基づいて電流信号に変換され、信号電極駆動回路を介して、このように変換された上記電流信号に基づいて電気光学素子がそれぞれ階調表示される。
【０２１０】
第１電流複製回路は、２個（Ａ１０・Ａ２０）設けられ、それぞれ、電流吐出し型電流複製回路からなり、最小基準電流信号Ｉｓを複製し、これを出力する。第２電流複製回路Ｂ３０及びＢ６０〜Ｂ１４０は、直列に接続された一対の電流吸込み型電流複製回路４０および電流吐出し型電流複製回路５０からなり、複数設けられている。第１及び第２電流信号複製回路Ｂ３０及びＢ６０〜Ｂ１４０は、６種類の基準電流信号を出力するようにそれぞれ接続されている。
【０２１１】
上記第１電流信号複製回路（Ａ１０・Ａ２０）から上記最小基準電流信号Ｉｓが上記最小基準電流信号発生回路３０９へそれぞれ流される。上記第１電流信号複製回路から最小基準電流信号Ｉｓが上記最小基準電流信号発生回路３０９へそれぞれ流されるが、この際、同時に２つの第１電流信号複製回路から最小基準電流信号Ｉｓが流れることはない。これにより、常に同一の最小基準電流信号Ｉｓが第１電流信号複製回路（Ａ１０・Ａ２０）から最小基準電流信号発生回路３０９へ吐出されることになるので、第１電流信号複製回路（Ａ１０・Ａ２０）において最小基準電流信号Ｉｓを高精度に複製することが可能となる。
【０２１２】
一方、上記第１電流信号複製回路の出力端子Ｉ１ｏｕｔと上記第２電流信号複製回路（Ｂ３０及びＢ６０〜Ｂ１４０）の入力端子（Ｉ１ｉｎ、Ｉ２ｉｎ、Ｉ４ｉｎ、Ｉ８ｉｎ、Ｉ１６ｉｎ、及びＩ３２ｉｎ）とは互いに接続されている。第２電流信号複製回路はそれぞれの入力端子で互いに接続されていることになる。加えて、各ビットに対応する基準電流信号の出力用以外の第２電流信号複製回路（Ｂ６０〜Ｂ８０）においては、出力端子（Ｉ４ｏｕｔ、Ｉ８ｏｕｔ、及びＩ１６ｏｕｔ）と入力端子（Ｉ４ｉｎ、Ｉ８ｉｎ、及びＩ１６ｉｎ）がそれぞれ接続されている。
【０２１３】
この接続関係により、上記同一の最小基準電流信号Ｉｓを複製したものが２個の第１電流信号複製回路（Ａ１０・Ａ２０）から第２電流信号複製回路のうちの一つ（例えば、Ｂ３０）へ入力されると、ここで、上記同一の最小基準電流信号Ｉｓを２倍したものが複製される。この第２電流信号複製回路（Ｂ３０）の出力電流信号（Ｉ２：上記同一の最小基準電流信号を２倍したもの）と、２個の上記第１電流信号複製回路（Ａ１０・Ａ２０）からの最小基準電流信号Ｉｓとを他の第２電流信号複製回路（例えば、Ｂ６０）に入力すると、ここで、上記同一の最小基準電流信号を４倍したものが複製される。以下同様に複製することによって、同一の最小基準電流信号を２のべき乗倍したものを基準電流信号の出力用の第２電流信号複製回路（Ｂ９０〜Ｂ１４０）から出力することが可能となる。これにより、６種類の上記基準電流信号（Ｉｓ〜３２×Ｉｓ）をそれぞれ得ることが可能となる。
【０２１４】
カレントミラー回路を構成する薄膜トランジスタ間の閾値電圧や電子移動度などの特性差が大きいときに正確な基準電流信号が得られない従来技術と異なって、上記発明によれば、常に同一の最小基準電流信号Ｉｓが第１電流複製回路（Ａ１０・Ａ２０）から最小基準電流信号発生回路３０９へそれぞれ流れ、上記最小基準電流信号Ｉｓが複製されて出力されると共に、上記同一の最小基準電流信号を２のべき乗倍したものを基準電流信号として出力することが可能となる。
【０２１５】
これにより、薄膜トランジスタ間の特性差に起因する制約を受けることなく、常に正確な基準電流信号を生成して前記ＤＣＣ２０５に供給することが可能となる。それゆえ、電気光学素子において常に所望とする輝度が得られ、所望とする画像を確実に得ることが可能となる。
【０２１６】
また、信号電極駆動回路の６ｂｉｔＤＣＣ回路が図１４のように電流吸込み型回路の場合、図６の電流信号複製回路Ａ１０のような電流吐出し型の電流複製回路と電流信号複製回路Ｂ３０のような電流吸込み型と電流吐出し型の組合せになるが、６ｂｉｔＤＣＣ回路が電流吐出し型回路の場合は図８及び図９の回路構成のようになる。動作については図５と図６で示される動作と電流の流れる方向が逆になるだけで他は同じであるため、説明は省略する。
【０２１７】
また、ここでは、電流吸込み型または電流吐出し型電流複製回路として４個のＴＦＴを用いているが、電流を複製するためのトランジスタがカレントミラー型の回路のように２個ではなく１個で構成されているものであれば、他のスイッチ等のＴＦＴが追加されたり削除されたり、信号電極や電源ラインを追加しても電流複製機能が働いていれば問題はない。
【０２１８】
図１０は本発明の更に他の実施の形態に係るポリシリコンＴＦＴ技術を用いて形成したＴＦＴにより構成された基準電流発生回路である。この回路は、図５の回路における、電流信号複製回路Ｂ９０〜１４０をとり除いた回路構成を有している。
【０２１９】
図１０の回路の動作を図１１を用いて説明する。時間１〜１０までは図７と同じで最小基準電流信号発生回路３０９より発生した最小基準電流信号Ｉｓを電流信号複製回路Ａ１０及びＡ２０へ複製し、電流信号複製回路Ｂ３０では最小基準電流信号Ｉｓ×２を複製し、電流信号複製回路Ｂ６０では最小基準電流信号Ｉｓ×４を複製し、電流信号複製回路Ｂ７０では最小基準電流信号Ｉｓ×８を複製し、電流信号複製回路Ｂ６０では最小基準電流信号Ｉｓ×１６を複製している。
【０２２０】
電流信号複製回路Ａ１０及びＡ２０、並びに電流信号複製回路Ｂ３０、Ｂ６０、Ｂ７０、及びＢ８０での電流信号の複製をおこなった後、時間１１からは信号電極駆動回路内のＤＣＣ２０５へ基準電流信号を複製していく。
【０２２１】
時間１１では、信号電極駆動回路内の１ライン目の最小基準電流信号ＩｓをＤＣＣ２０５内に複製し、時間１２では最小基準電流信号Ｉｓ×２を複製し、時間１３では最小基準電流信号Ｉｓ×４を複製し、時間１４では最小基準電流信号Ｉｓ×８を複製し、時間１５では最小基準電流信号Ｉｓ×１６を複製し、時間１６では最小基準電流信号Ｉｓ×３２を複製しており、同様に時間１７では２ライン目の最小基準電流信号であるＩｓをＤＣＣ回路内に複製し、順次ラインＮの最小基準電流信号Ｉｓ×３２までを複製していく。
【０２２２】
このように、多結晶Ｓｉ薄膜で構成した回路では、カレントミラー回路より精度のよい電流信号複製回路により最小基準電流信号Ｉｓの２倍、４倍、８倍、１６倍と倍倍の電流信号を複製し、信号電極駆動回路に対し複製した電流信号を直列に伝送していくことで、精度のよい基準電流発生回路が提供でき、かつ、さらに精度のよい基準電流信号をトランジスタの数を図１や図５よりも少なくて複製していくことが可能となる。
【０２２３】
尚、上記説明では電流吐出し型電流複製回路の最小単位として全てＰチャンネルのＴＦＴで構成し、電流吸込み型電流複製回路として全てＮチャンネルで構成したが、電流吐出し型としてもしくは電流吸込み型として電流信号を複製する機能があれば、ＮチャンネルやＰチャンネルの極性に制限はない。
【０２２４】
また、図７の構成の場合と異なって、図１０の構成の場合、電流信号複製回路Ａ１０、Ａ２０、並びにＢ３０、及びＢ６０〜Ｂ８０が同時に出力することはできない。
【０２２５】
本実施の形態に係るアクティブ駆動型表示装置は、以上のように、最小基準電流信号Ｉｓを発生する最小基準電流信号発生回路３０９と、上記最小基準電流信号Ｉｓを複製する電流吐出し型電流複製回路からなる２個の第１電流信号複製回路Ａ１０・Ａ２０と、直列に接続された一対の電流吸込み型電流複製回路４０および電流吐出し型電流複製回路５０からなる複数の第２電流信号複製回路Ｂ３０及びＢ６０〜Ｂ８０とを備え、上記第１電流信号複製回路Ａ１０・Ａ２０の出力端子Ｉ１ｏｕｔと上記第２電流信号複製回路の入力端子（Ｉ２ｉｎ、Ｉ４ｉｎ、Ｉ８ｉｎ、及びＩ１６ｉｎ）とは互いに接続されると共に、上記第２電流信号複製回路は出力端子（Ｉ２ｏｕｔ、Ｉ４ｏｕｔ、Ｉ８ｏｕｔ、及びＩ１６ｏｕｔ）と入力端子（Ｉ２ｉｎ、Ｉ４ｉｎ、Ｉ８ｉｎ、及びＩ１６ｉｎ）がそれぞれ接続され、同時に２つの第１電流信号複製回路から最小基準電流信号Ｉｓが流れないように、上記第１電流信号複製回路（Ａ１０・Ａ２０）から上記最小基準電流信号Ｉｓを上記最小基準電流信号発生回路３０９へそれぞれ流すと共に、第１及び第２電流信号複製回路から６種類の基準電流信号（Ｉｓ〜３２×Ｉｓ）をそれぞれ出力する構成を有している。
【０２２６】
上記の構成によれば、６ビットのデジタル画像信号が、信号電極駆動回路内のＤＣＣ２０５によって、基準電流発生回路から出力される６種類の基準電流信号に基づいて電流信号に変換され、信号電極駆動回路を介して、このように変換された上記電流信号に基づいて電気光学素子がそれぞれ階調表示される。
【０２２７】
第１電流信号複製回路は、２個設けられ、それぞれ、電流吐出し型電流複製回路からなり、最小基準電流信号Ｉｓを複製し、これを出力する。第２電流信号複製回路は、直列に接続された一対の電流吸込み型電流複製回路４０および電流吐出し型電流複製回路５０からなり、複数設けられている。第１及び第２電流信号複製回路は、６種類の基準電流信号を出力するようにそれぞれ接続されている。
【０２２８】
上記第１電流複製回路（Ａ１０・Ａ２０）から上記最小基準電流信号Ｉｓが上記最小基準電流信号発生回路３０９へそれぞれ流される。上記第１電流複製回路（Ａ１０・Ａ２０）から最小基準電流信号Ｉｓが上記最小基準電流信号発生回路３０９へそれぞれ流されるが、この際、同時に２つの第１電流複製回路から最小基準電流信号Ｉｓが流れることはない。これにより、常に同一の最小基準電流信号Ｉｓが第１電流複製回路（Ａ１０・Ａ２０）から最小基準電流信号発生回路３０９へ吐出されることになるので、第１電流複製回路（Ａ１０・Ａ２０）において同一の最小基準電流信号Ｉｓを高精度に複製することが可能となる。
【０２２９】
一方、上記第１電流複製回路の出力端子（Ｉ１ｏｕｔ）と上記第２電流複製回路の入力端子（Ｉ２ｉｎ、Ｉ４ｉｎ、Ｉ８ｉｎ、及びＩ１６ｉｎ）とは互いに接続されている。加えて、第２電流複製回路（Ｂ３０及びＢ６０〜Ｂ８０）は、出力端子（Ｉ２ｏｕｔ、Ｉ４ｏｕｔ、Ｉ８ｏｕｔ、及びＩ１６ｏｕｔ）と入力端子（Ｉ２ｉｎ、Ｉ４ｉｎ、Ｉ８ｉｎ、及びＩ１６ｉｎ）がそれぞれ接続されている。
【０２３０】
この接続関係により、上記同一の最小基準電流信号Ｉｓを複製したものが２個の第１電流複製回路（Ａ１０・Ａ２０）から第２電流複製回路のうちの一つ（例えば、Ｂ３０）へ入力されると、ここで、上記同一の最小基準電流信号Ｉｓを２倍したものが複製される。この第２電流複製回路（例えば、Ｂ３０）の出力電流信号（上記同一の最小基準電流信号を２倍したもの）と、２個の上記第１電流複製回路（Ａ１０・Ａ２０）からの最小基準電流信号Ｉｓとを他の第２電流複製回路（例えば、Ｂ６０）に入力すると、ここで、上記同一の最小基準電流信号Ｉｓを４倍したものが複製される。以下同様に複製することによって、同一の最小基準電流信号Ｉｓを２のべき乗倍したものを第１及び第２電流複製回路から出力することが可能となる。これにより、６種類の上記基準電流信号をそれぞれ得ることが可能となる。
【０２３１】
カレントミラー回路を構成する薄膜トランジスタ間の閾値電圧や電子移動度などの特性差が大きいときに正確な基準電流信号が得られない従来技術と異なって、上記発明によれば、常に同一の最小基準電流信号が第１電流複製回路（Ａ１０・Ａ２０）から最小基準電流信号発生回路３０９へそれぞれ流れ、上記最小基準電流信号Ｉｓが複製されて出力されると共に、上記同一の最小基準電流信号Ｉｓを２のべき乗倍したものを基準電流信号として出力することが可能となる。
【０２３２】
これにより、薄膜トランジスタ間の特性差に起因する制約を受けることなく、常に正確な基準電流信号を生成することが可能となる。それゆえ、電気光学素子において常に所望とする輝度が得られ、所望とする画像を確実に得ることが可能となる。
【０２３３】
また、信号電極駆動回路の６ｂｉｔＤＣＣ回路が図１４のように電流吸込み型回路の場合図６の電流信号複製回路Ａ１０のような電流吐出し型の電流複製回路と電流信号複製回路Ｂ３０のような電流吸込み型と電流吐出し型の組合せになるが、６ｂｉｔＤＣＣ回路が電流吐出し型回路の場合は図１２及び図９のようになる。動作については図１０及び図６で示される動作と電流の流れる方向が逆になるだけで他は同じであるため、説明は省略する。
【０２３４】
また、ここでは、電流吸込み型または電流吐出し型電流複製回路として４個のＴＦＴを用いているが、電流を複製するためのトランジスタがカレントミラー型の回路のように２個ではなく１個で構成されているものであれば、他のスイッチ等のＴＦＴが追加されたり削除されたり、信号電極や電源ラインを追加しても電流複製機能が働いていれば問題はない。
【０２３５】
以上説明したように、本発明に係るポリシリコンＴＦＴ技術により画素回路、信号電極駆動回路、走査電極駆動回路、基準電流発生回路を同一基板平面上に形成し電気光学素子を定電流駆動するアクティブ駆動型表示装置の基準電流発生回路では、最小基準電流信号を複製する電流吸込み型または電流吐出し型の電流信号複製回路を最小単位としてこの複製回路を並列接続して最小基準電流信号の倍数の電流信号が得られるため複数の高精度な基準電流を発生することが可能となり、入力画像データに対応した正確な電流信号が得られるために、表示装置での所望とする画像が得られる。
【０２３６】
また、別の発明に係るポリシリコンＴＦＴ技術により画素回路、信号電極駆動回路、走査電極駆動回路、基準電流発生回路を同一基板平面上に形成し電気光学素子を定電流駆動するアクティブ駆動型表示装置の基準電流発生回路では、最小基準電流信号を複製する電流吸込み型または電流吐出し型の電流信号複製回路と電流吸い込み型電流複製回路と電流吐き出し型電流複製回路を１組とした電流吸込み型または電流吐出し型倍電流複製回路を用いることで２倍の電流信号として複製し、その複製した電流信号をさらに電流吸込み型または電流吐出し型倍電流複製回路で２倍の電流信号を複製していき、順次２倍にしていくことで基準電流信号を２倍、４倍、８倍、１６倍と生成し、その各電流信号をさらに複製することで基準電流発生源としているので、高精度な基準電流を発生することが可能となり、入力画像データに対応した正確な電流信号が得られるために、表示装置での所望とする画像が得られる。また、ＴＦＴの使用個数が少ない回路で構成できるため、表示画面以外の周辺エリアに配置される基準電流発生回路の回路面積が小さくなることにより全体のガラスサイズが小さくでき表示装置の小型化が可能になり、また回路面積が小さくなることにより表示パネルの歩留まりが向上し、コストダウンにも繋がる効果がある。
【０２３７】
また、別の発明に係るポリシリコンＴＦＴ技術により画素回路、信号電極駆動回路、走査電極駆動回路、基準電流発生回路を同一基板平面上に形成し電気光学素子を定電流駆動するアクティブ駆動型表示装置の基準電流発生回路では、最小基準電流信号を複製する電流吸込み型または電流吐出し型の電流信号複製回路と電流吸い込み型電流複製回路と電流吐き出し型電流複製回路を１組とした電流吸込み型または電流吐出し型倍電流複製回路を用いることで２倍の電流信号として複製し、その複製した電流信号をさらに電流吸込み型または電流吐出し型倍電流複製回路で２倍の電流信号を複製していき、順次２倍にしていくことで基準電流信号を２倍、４倍、８倍、１６倍と生成し、信号電極駆動回路に対し複製した電流信号をシリアルに伝送していくことで、高精度な基準電流を発生することが可能となり、入力画像データに対応した正確な電流信号が得られるために、表示装置での所望とする画像が得られる。また、ＴＦＴの使用個数が少ない回路で構成でき、表示画面以外の周辺エリアに配置される基準電流発生回路の回路面積が小さくなることにより全体のガラスサイズが小さくでき表示装置の小型化が可能になり、また回路面積が小さくなることにより表示パネルの歩留まりが向上し、コストダウンにも繋がる効果がある。
【０２３８】
本発明は、基準電流発生回路として、最小の基準となる電流信号から電流吸込み型または電流吐出し型電流複製回路により最小単位となる基準電流信号を複数複製し、所望とする基準電流信号となるように複数個の電流複製回路を並列接続しており、その発生した基準電流信号を電極駆動回路のデジタル信号−電流信号変換回路へ接続することを特徴とする。
【０２３９】
また、本発明は、基準電流発生回路として、最小の基準となる電流信号から電流吸込み型または電流吐出し型電流複製回路により最小単位となる基準電流信号を複数複製し、この複製した電流信号をもとに電流吸込み型と電流吐出し型と一対で構成した電流吸込み型または電流吐出し型電流複製回路により最小の基準となる電流信号の倍倍の電流を発生し、その発生した各倍電流信号を保持するための電流吸込み型または電流吐出し型電流複製回路より構成された基準電流発生回路を備え、その基準電流発生回路から出力される電流信号を信号電極駆動回路のデジタル信号−電流信号変換回路へ接続することを特徴とする。
【０２４０】
また、本発明は、基準電流発生回路として、最小の基準となる電流信号から電流吸込み型または電流吐出し型電流複製回路により最小単位となる基準電流信号を複数複製し、この複製した電流信号をもとに電流吸込み型と電流吐出し型と一対で構成した電流吸込み型または電流吐出し型電流複製回路により最小の基準となる電流信号の倍倍の電流を複製し、各電流吸込み型または電流吐出し型電流複製回路の出力を全て接続し、その出力は信号電極駆動回路のデジタル信号−電流信号変換回路へ接続することを特徴とする。
【産業上の利用可能性】
【０２４１】
多結晶Ｓｉ薄膜トランジスタで形成された基準電流発生回路において、最小基準電流信号の倍数で決定される複数の倍電流基準電流信号を精度よく発生することができ、データ駆動回路のＤＣＣユニットへその発生した基準電流信号を供給することで、入力した画像データに対して所望の画像表示を可能とするアクティブ駆動型表示装置に適用できる。
【図面の簡単な説明】
【０２４２】
【図１】本発明に係るアクティブ駆動型表示装置における基準電流発生回路の一実施形態を示すブロック図である。
【図２】（ａ）は上記基準電流発生回路の基本単位を構成する電流吐出し型電流信号複製回路の一例を示す回路図であり、（ｂ）は（ａ）の電流吐出し型電流信号複製回路の一例のモデル図を示す説明図である。
【図３】本発明に係るアクティブ駆動型表示装置における他の基準電流発生回路の一実施形態を示すブロック図である。
【図４】（ａ）は図３の基準電流発生回路の基本単位を構成する電流吸込み型電流信号複製回路の一例を示す図であり、（ｂ）は（ａ）の電流吸込み型電流信号複製回路の一例のモデル図を示す説明図である。
【図５】本発明に係るアクティブ駆動型表示装置における更に他の基準電流発生回路の一実施形態を示すブロック図である。
【図６】図５の基準電流発生回路の基本単位を構成する電流吐出し型電流信号複製回路の動作の一例を示す回路図である。
【図７】図５の基準電流発生回路の動作を示す説明図である。
【図８】本発明に係るアクティブ駆動型表示装置における更に他の基準電流発生回路の一実施形態を示すブロック図である。
【図９】図８の基準電流発生回路の基本単位を構成する電流吸込み型電流信号複製回路の動作の一例を示す回路図である。
【図１０】本発明に係るアクティブ駆動型表示装置における更に他の基準電流発生回路の一実施形態を示すブロック図である。
【図１１】図１０の基準電流発生回路の動作を示すブロック図である。
【図１２】本発明に係るアクティブ駆動型表示装置における更に他の基準電流発生回路の一実施形態を示すブロック図である。
【図１３】従来技術と本発明との双方を説明するものであり、電流駆動型データ駆動回路を含むアクティブ駆動型有機ＥＬ表示装置を示すブロック図である。
【図１４】図１３に示された電流駆動型データ駆動回路の１部詳細を示す回路図である。
【図１５】図１４に示された１ｂｉｔ−ＤＣＣ回路の詳細を示す回路図である。
【図１６】従来技術である基準電流発生回路の一例を示す回路図である。
【図１７】従来技術である他の基準電流発生回路を示す回路図である。
【符号の説明】
【０２４３】
３００    定電圧回路
３０１    演算増幅回路
３０２    Ｎチャンネルトランジスタ
３０３    基準抵抗
３０９    最小基準電流発生回路
４００    基準電流発生回路
４０１〜４６３    電流信号複製回路
【図１】
2005164702.tif 000003
【図２】
2005164702.tif 000004
【図３】
2005164702.tif 000005
【図４】
2005164702.tif 000006
【図５】
2005164702.tif 000007
【図６】
2005164702.tif 000008
【図７】
2005164702.tif 000009
【図８】
2005164702.tif 000010
【図９】
2005164702.tif 000011
【図１０】
2005164702.tif 000012
【図１１】
2005164702.tif 000013
【図１２】
2005164702.tif 000014
【図１３】
2005164702.tif 000015
【図１４】
2005164702.tif 000016
【図１５】
2005164702.tif 000017
【図１６】
2005164702.tif 000018
【図１７】
2005164702.tif 000019